(57)【要約】ユーザ入力デバイスがユーザ機器を制御することを防止するための方法およびシステムが、本明細書に説明される。方法は、第１の通信パスを経由して、ユーザ機器によって、ユーザ機器に対するユーザ入力デバイスによる制御を制限する第１の要求を示すデータを受信するステップを含む。方法は、第１の要求を受信するステップに応答して、ユーザ入力デバイスからの第１のコマンドを無視するステップを含む。方法は、第１の通信パスを経由して、ユーザ機器に対するユーザ入力デバイスによる制御を回復する第２の要求を示すデータを受信するステップを含む。方法は、第２の要求を受信するステップに応答して、ユーザ入力デバイスからの第２のコマンドであって、ユーザ機器の第２の設定を改変することを意図されている第２のコマンドを受信するステップを含む。
2019528534.tif 000002
【特許請求の範囲】
【請求項１】
ユーザ入力デバイスがユーザ機器を制御することを防止するための方法であって、前記方法は、
通信パスを経由して、前記ユーザ機器によって、前記ユーザ機器に対する前記ユーザ入力デバイスによる制御を制限する第１の要求を示すデータを受信することと、
前記第１の要求を受信することに基づいて、前記ユーザ機器によって、前記ユーザ入力デバイスからのコマンドを無視することであって、前記コマンドは、前記ユーザ機器の設定を改変することを意図されている、ことと、
前記第１の要求を受信することに続いて、前記通信パスを経由して、前記ユーザ機器によって、前記ユーザ機器に対する前記ユーザ入力デバイスによる制御を回復する第２の要求を示すデータを受信することと
を含む、方法。
【請求項２】
ユーザ入力デバイスがユーザ機器を制御することを防止するための方法であって、前記方法は、
第１の通信パスを経由して、前記ユーザ機器によって、前記ユーザ機器に対する前記ユーザ入力デバイスによる制御を制限する第１の要求を示すデータを受信することと、
前記第１の要求を受信することに基づいて、前記ユーザ機器によって、前記ユーザ入力デバイスからの第１のコマンドを無視することであって、前記第１のコマンドは、前記ユーザ機器の第１の設定を改変することを意図されている、ことと、
前記第１の要求を受信することに続いて、前記第１の通信パスを経由して、前記ユーザ機器によって、前記ユーザ機器に対する前記ユーザ入力デバイスによる制御を回復する第２の要求を示すデータを受信することと、
前記ユーザ機器によって、前記ユーザ入力デバイスからの第２のコマンドを受信することであって、前記第２のコマンドは、前記ユーザ機器の第２の設定を改変することを意図されている、ことと、
前記第２の要求および前記第２のコマンドを受信することに基づいて、前記ユーザ機器によって、前記ユーザ機器の第２の設定を改変することと
を含む、方法。
【請求項３】
前記第１の要求は、ユーザから受信される１つ以上の言葉によるコマンドを備える、請求項２に記載の方法。
【請求項４】
前記第１の通信パスは、ローカルエリアネットワークを備え、前記第１の要求および前記第２の要求は、ネットワーク接続されたユーザデバイスから受信される、請求項２に記載の方法。
【請求項５】
前記第１の要求を受信することに応答して、前記ユーザ機器に結合される受信機回路を非アクティブ化することであって、前記受信機回路は、第２の通信パスを経由して前記ユーザ入力デバイスからコマンドを受信するために使用可能である、こと
をさらに含む、請求項２に記載の方法。
【請求項６】
前記受信機回路は、赤外線センサ、高周波センサ、およびセンサを動作させるための回路のうちの少なくとも１つを備える、請求項５に記載の方法。
【請求項７】
前記ユーザ入力デバイスからの第１のコマンドを無視することは、
第１のユーザの身元を決定することであって、前記第１の要求は、前記第１のユーザから受信される入力を備える、ことと、
前記第１のユーザの身元に基づいて、前記第１のユーザが制御を制限する権限を与えられていることを決定することと、
前記第１のユーザが制御を制限する権限を与えられていることを決定することに応答して、前記ユーザ入力デバイスからの前記第１のコマンドを無視することと
を含む、請求項２に記載の方法。
【請求項８】
前記第１のユーザの身元を決定することは、音声パターン認識を前記第１のユーザから受信される言葉による入力に適用すること、および顔認識技法を前記第１のユーザの画像に適用することのうちの少なくとも１つを含む、請求項７に記載の方法。
【請求項９】
第２のユーザの身元を決定することであって、前記第２の要求は、前記第２のユーザから受信される入力を備え、前記第２のユーザは、前記第１のユーザと異なる、ことと、
前記第２のユーザの身元に基づいて、前記第２のユーザが制御を回復する権限を与えられていることを決定することと
をさらに含む、請求項７に記載の方法。
【請求項１０】
前記第１の要求を受信することに基づいて、ユーザ機器に結合されるディスプレイ上に表示するために、前記ユーザ入力デバイスが前記ユーザ機器を制御することを防止されているという視覚インジケータを生成すること
をさらに含む、請求項２に記載の方法。
【請求項１１】
無視されるユーザコマンドの１つ以上の性質を識別する規則を前記ユーザ機器に記憶することと、
前記ユーザ入力デバイスからの前記第１のコマンドを前記規則と比較することと、
前記第１のコマンドの性質が前記規則の性質に合致する場合、前記ユーザ入力デバイスからの前記第１のコマンドを無視することと
をさらに含む、請求項２に記載の方法。
【請求項１２】
ユーザ入力デバイスがユーザ機器を制御することを防止するためのシステムであって、前記システムは、
第１の通信回路であって、
第１の通信パスを経由して、前記ユーザ機器に対する前記ユーザ入力デバイスによる制御を制限する第１の要求を示すデータを受信することと、
前記第１の要求を受信することに続いて、前記第１の通信パスを経由して、前記ユーザ機器に対する前記ユーザ入力デバイスによる制御を回復する第２の要求を示すデータを受信することと
を行うように構成される、第１の通信回路と、
制御回路であって、
前記第１の要求を受信することに基づいて、前記ユーザ入力デバイスからの第１のコマンドを無視することであって、前記第１のコマンドは、前記ユーザ機器の第１の設定を改変することを意図されている、ことと、
前記ユーザ入力デバイスから、前記第２の要求および第２のコマンドを受信することに基づいて、前記ユーザ機器の第２の設定を改変することであって、前記第２のコマンドは、前記ユーザ機器の第２の設定を改変することを意図されている、ことと
を行うように構成される、制御回路と
を備える、システム。
【請求項１３】
前記第１の要求は、ユーザから受信される１つ以上の言葉によるコマンドを備える、請求項１２に記載のシステム。
【請求項１４】
前記第１の通信パスは、ローカルエリアネットワークを備え、前記第１の要求および前記第２の要求は、ネットワーク接続されたユーザデバイスから受信される、請求項１２に記載のシステム。
【請求項１５】
前記制御回路はさらに、
前記第１の要求を受信することに応答して、前記ユーザ機器に結合される受信機回路を非アクティブ化することであって、前記受信機回路は、第２の通信パスを経由して前記ユーザ入力デバイスからコマンドを受信するために使用可能である、こと
を行うように構成される、請求項１２に記載のシステム。
【請求項１６】
前記受信機回路は、赤外線センサ、高周波センサ、およびセンサを動作させるための回路のうちの少なくとも１つを備える、請求項１５に記載のシステム。
【請求項１７】
前記制御回路はさらに、
第１のユーザの身元を決定することであって、前記第１の要求は、前記第１のユーザから受信される入力を備える、ことと、
前記第１のユーザの身元に基づいて、前記第１のユーザが制御を制限する権限を与えられていることを決定することと、
前記第１のユーザが制御を制限する権限を与えられていることを決定することに応答して、前記ユーザ入力デバイスからの前記第１のコマンドを無視することと
を行うように構成される、請求項１２に記載のシステム。
【請求項１８】
前記第１のユーザの身元を決定することは、音声パターン認識を前記第１のユーザから受信される言葉による入力に適用すること、および顔認識技法を前記第１のユーザの画像に適用することのうちの少なくとも１つを含む、請求項１７に記載のシステム。
【請求項１９】
前記制御回路はさらに、
第２のユーザの身元を決定することであって、前記第２の要求は、前記第２のユーザから受信される入力を備え、前記第２のユーザは、前記第１のユーザと異なる、ことと、
前記第２のユーザの身元に基づいて、前記第２のユーザが制御を回復する権限を与えられていることを決定することと
を行うように構成される、請求項１７に記載のシステム。
【請求項２０】
前記制御回路はさらに、ユーザ機器に結合されるディスプレイ上に表示するために、前記ユーザ入力デバイスが前記ユーザ機器を制御することを防止されているという視覚インジケータを生成するように構成される、請求項１２に記載のシステム。
【請求項２１】
前記制御回路はさらに、
無視されるユーザコマンドの１つ以上の性質を識別する規則を記憶することと、
前記ユーザ入力デバイスからの前記第１のコマンドを前記規則と比較することと、
前記第１のコマンドの性質が前記規則の性質に合致する場合、前記ユーザ入力デバイスからの前記第１のコマンドを無視することと
を行うように構成される、請求項１２に記載のシステム。
【請求項２２】
ユーザ入力デバイスがユーザ機器を制御することを防止するためのシステムであって、前記システムは、
第１の通信パスを経由して、前記ユーザ機器に対する前記ユーザ入力デバイスによる制御を制限する第１の要求を示すデータを受信するための手段と、
前記第１の要求を受信することに基づいて、前記ユーザ入力デバイスからの第１のコマンドを無視するための手段であって、前記第１のコマンドは、前記ユーザ機器の第１の設定を改変することを意図されている、手段と、
前記第１の要求を受信することに続いて、前記第１の通信パスを経由して、前記ユーザ機器に対する前記ユーザ入力デバイスによる制御を回復する第２の要求を示すデータを受信するための手段と、
前記ユーザ入力デバイスからの第２のコマンドを受信するための手段であって、前記第２のコマンドは、前記ユーザ機器の第２の設定を改変することを意図されている、手段と、
前記第２の要求および前記第２のコマンドを受信することに基づいて、前記ユーザ機器の第２の設定を改変するための手段と
を備える、システム。
【請求項２３】
前記第１の要求は、ユーザから受信される１つ以上の言葉によるコマンドを備える、請求項２２に記載のシステム。
【請求項２４】
前記第１の通信パスは、ローカルエリアネットワークを備え、前記第１の要求および前記第２の要求は、ネットワーク接続されたユーザデバイスから受信される、請求項２２に記載のシステム。
【請求項２５】
前記第１の要求を受信することに応答して、前記ユーザ機器に結合される受信機回路を非アクティブ化するための手段であって、前記受信機回路は、第２の通信パスを経由して前記ユーザ入力デバイスからコマンドを受信するために使用可能である、手段
をさらに備える、請求項２２に記載のシステム。
【請求項２６】
前記受信機回路は、赤外線センサ、高周波センサ、およびセンサを動作させるための回路のうちの少なくとも１つを備える、請求項２５に記載のシステム。
【請求項２７】
前記ユーザ入力デバイスからの第１のコマンドを無視するための前記手段は、
第１のユーザの身元を決定するための手段であって、前記第１の要求は、前記第１のユーザから受信される入力を備える、手段と、
前記第１のユーザの身元に基づいて、前記第１のユーザが制御を制限する権限を与えられていることを決定するための手段と、
前記第１のユーザが制御を制限する権限を与えられていることを決定することに応答して、前記ユーザ入力デバイスからの前記第１のコマンドを無視するための手段と
を備える、請求項２２に記載のシステム。
【請求項２８】
前記第１のユーザの身元を決定するための前記手段は、音声パターン認識を前記第１のユーザから受信される言葉による入力に適用するための手段、および顔認識技法を前記第１のユーザの画像に適用するための手段のうちの少なくとも１つを備える、請求項２７に記載のシステム。
【請求項２９】
第２のユーザの身元を決定するための手段であって、前記第２の要求は、前記第２のユーザから受信される入力を備え、前記第２のユーザは、前記第１のユーザと異なる、手段と、
前記第２のユーザの身元に基づいて、前記第２のユーザが制御を回復する権限を与えられていることを決定するための手段と
をさらに備える、請求項２７に記載のシステム。
【請求項３０】
前記受信機回路を非アクティブ化するための前記手段は、ユーザ機器に結合されるディスプレイ上に表示するために、前記ユーザ入力デバイスが前記ユーザ機器を制御することを防止されているという視覚インジケータを生成するための手段を備える、請求項２２に記載のシステム。
【請求項３１】
無視されるユーザコマンドの１つ以上の性質を識別する規則を記憶するための手段と、
前記ユーザ入力デバイスからの前記第１のコマンドを前記規則と比較するための手段と、
前記第１のコマンドの性質が前記規則の性質に合致する場合、前記ユーザ入力デバイスからの前記第１のコマンドを無視するための手段と
をさらに備える、請求項２２に記載のシステム。
【請求項３２】
ユーザ入力デバイスがユーザ機器を制御することを防止するための方法であって、前記方法は、
第１の通信パスを経由して、前記ユーザ機器によって、前記ユーザ機器に対する前記ユーザ入力デバイスによる制御を制限する第１の要求を示すデータを受信することと、
前記第１の要求を受信することに基づいて、前記ユーザ機器によって、前記ユーザ入力デバイスからの第１のコマンドを無視することであって、前記第１のコマンドは、前記ユーザ機器の第１の設定を改変することを意図されている、ことと、
前記第１の要求を受信することに続いて、前記第１の通信パスを経由して、前記ユーザ機器によって、前記ユーザ機器に対する前記ユーザ入力デバイスによる制御を回復する第２の要求を示すデータを受信することと、
前記ユーザ機器によって、前記ユーザ入力デバイスからの第２のコマンドを受信することであって、前記第２のコマンドは、前記ユーザ機器の第２の設定を改変することを意図されている、ことと、
前記第２の要求および前記第２のコマンドを受信することに基づいて、前記ユーザ機器によって、前記ユーザ機器の第２の設定を改変することと
を含む、方法。
【請求項３３】
前記第１の要求は、ユーザから受信される１つ以上の言葉によるコマンドを備える、請求項３２に記載の方法。
【請求項３４】
前記第１の通信パスは、ローカルエリアネットワークを備え、前記第１の要求および前記第２の要求は、ネットワーク接続されたユーザデバイスから受信される、請求項３２および３３のいずれかに記載の方法。
【請求項３５】
前記第１の要求を受信することに応答して、前記ユーザ機器に結合される受信機回路を非アクティブ化することであって、前記受信機回路は、第２の通信パスを経由して前記ユーザ入力デバイスからコマンドを受信するために使用可能である、こと
をさらに含む、請求項３２−３４のいずれかに記載の方法。
【請求項３６】
前記受信機回路は、赤外線センサ、高周波センサ、およびセンサを動作させるための回路のうちの少なくとも１つを備える、請求項３５に記載の方法。
【請求項３７】
前記ユーザ入力デバイスからの第１のコマンドを無視することは、
第１のユーザの身元を決定することであって、前記第１の要求は、前記第１のユーザから受信される入力を備える、ことと、
前記第１のユーザの身元に基づいて、前記第１のユーザが制御を制限する権限を与えられていることを決定することと、
前記第１のユーザが制御を制限する権限を与えられていることを決定することに応答して、前記ユーザ入力デバイスからの前記第１のコマンドを無視することと
を含む、請求項３２−３６のいずれかに記載の方法。
【請求項３８】
前記第１のユーザの身元を決定することは、音声パターン認識を前記第１のユーザから受信される言葉による入力に適用すること、および顔認識技法を前記第１のユーザの画像に適用することのうちの少なくとも１つを含む、請求項３７に記載の方法。
【請求項３９】
第２のユーザの身元を決定することであって、前記第２の要求は、前記第２のユーザから受信される入力を備え、前記第２のユーザは、前記第１のユーザと異なる、ことと、
前記第２のユーザの身元に基づいて、前記第２のユーザが制御を回復する権限を与えられていることを決定することと
をさらに含む、請求項３７または３８のいずれかに記載の方法。
【請求項４０】
前記第１の要求を受信することに基づいて、ユーザ機器に結合されるディスプレイ上に表示するために、前記ユーザ入力デバイスが前記ユーザ機器を制御することを防止されているという視覚インジケータを生成することをさらに含む、請求項３２−３９のいずれかに記載の方法。
【請求項４１】
無視されるユーザコマンドの１つ以上の性質を識別する規則を前記ユーザ機器に記憶することと、
前記ユーザ入力デバイスからの前記第１のコマンドを前記規則と比較することと、
前記第１のコマンドの性質が前記規則の性質に合致する場合、前記ユーザ入力デバイスからの前記第１のコマンドを無視することと
をさらに含む、請求項３２−４０のいずれかに記載の方法。
【請求項４２】
ユーザ入力デバイスがユーザ機器を制御することを防止するための複数の命令を記憶する、非一過性のコンピュータ可読媒体であって、前記複数の命令は、
第１の通信パスを経由して、前記ユーザ機器に対する前記ユーザ入力デバイスによる制御を制限する第１の要求を示すデータを受信するための命令と、
前記第１の要求を受信することに基づいて、前記ユーザ入力デバイスからの第１のコマンドを無視するための命令であって、前記第１のコマンドは、前記ユーザ機器の第１の設定を改変することを意図されている、命令と、
前記第１の要求を受信することに続いて、前記第１の通信パスを経由して、前記ユーザ機器に対する前記ユーザ入力デバイスによる制御を回復する第２の要求を示すデータを受信するための命令と、
前記ユーザ入力デバイスからの第２のコマンドを受信するための命令であって、前記第２のコマンドは、前記ユーザ機器の第２の設定を改変することを意図されている、命令と、
前記第２の要求および前記第２のコマンドを受信することに基づいて、前記ユーザ機器の第２の設定を改変するための命令と
を備える、非一過性のコンピュータ可読媒体。
【請求項４３】
前記第１の要求は、ユーザから受信される１つ以上の言葉によるコマンドを備える、請求項４２に記載の非一過性のコンピュータ可読媒体。
【請求項４４】
前記第１の通信パスは、ローカルエリアネットワークを備え、前記第１の要求および前記第２の要求は、ネットワーク接続されたユーザデバイスから受信される、請求項４２に記載の非一過性のコンピュータ可読媒体。
【請求項４５】
前記第１の要求を受信することに応答して、前記ユーザ機器に結合される受信機回路を非アクティブ化するための命令であって、前記受信機回路は、第２の通信パスを経由して前記ユーザ入力デバイスからコマンドを受信するために使用可能である、命令
をさらに備える、請求項４２に記載の非一過性のコンピュータ可読媒体。
【請求項４６】
前記受信機回路は、赤外線センサ、高周波センサ、およびセンサを動作させるための回路のうちの少なくとも１つを備える、請求項４５に記載の非一過性のコンピュータ可読媒体。
【請求項４７】
前記ユーザ入力デバイスからの第１のコマンドを無視するための前記命令は、
第１のユーザの身元を決定するための命令であって、前記第１の要求は、前記第１のユーザから受信される入力を備える、命令と、
前記第１のユーザの身元に基づいて、前記第１のユーザが制御を制限する権限を与えられていることを決定するための命令と、
前記第１のユーザが制御を制限する権限を与えられていることを決定することに応答して、前記ユーザ入力デバイスからの前記第１のコマンドを無視するための命令と
を備える、請求項４２に記載の非一過性のコンピュータ可読媒体。
【請求項４８】
前記第１のユーザの身元を決定するための前記命令は、音声パターン認識を前記第１のユーザから受信される言葉による入力に適用するための命令、および顔認識技法を前記第１のユーザの画像に適用するための命令のうちの少なくとも１つを備える、請求項４７に記載の非一過性のコンピュータ可読媒体。
【請求項４９】
第２のユーザの身元を決定するための命令であって、前記第２の要求は、前記第２のユーザから受信される入力を備え、前記第２のユーザは、前記第１のユーザと異なる、命令と、
前記第２のユーザの身元に基づいて、前記第２のユーザが制御を回復する権限を与えられていることを決定するための命令と
をさらに備える、請求項４７に記載の非一過性のコンピュータ可読媒体。
【請求項５０】
前記受信機回路を非アクティブ化するための前記命令は、ユーザ機器に結合されるディスプレイ上に表示するために、前記ユーザ入力デバイスが前記ユーザ機器を制御することを防止されているという視覚インジケータを生成するための命令を備える、請求項４２に記載の非一過性のコンピュータ可読媒体。
【請求項５１】
無視されるユーザコマンドの１つ以上の性質を識別する規則を記憶するための命令と、
前記ユーザ入力デバイスからの前記第１のコマンドを前記規則と比較するための命令と、
前記第１のコマンドの性質が前記規則の性質に合致する場合、前記ユーザ入力デバイスからの前記第１のコマンドを無視するための命令と
をさらに備える、請求項４２に記載の非一過性のコンピュータ可読媒体。
【発明の詳細な説明】
【背景技術】
【０００１】
メディア機器を制御するための機構が、急増している。例えば、ユーザは、リモートコントロール、スマートフォン、タブレット、コンピュータ、および音声コマンドを使用し、メディア機器を制御することができる。多くの場合、家庭内の個人はそれぞれ、全て同一のメディア機器を制御することができる、これらのデバイスのうちの１つ以上のものへのアクセスを有する。現在、有効および無効にされることができる、特殊リモートコントロールがある。しかしながら、メディア機器において、メディア機器を制御することができるデバイスおよび／またはユーザを制御するための機構はない。
【発明の概要】
【課題を解決するための手段】
【０００２】
方法およびシステムが、ユーザ入力デバイスがユーザ機器を制御することを防止するために本明細書で提供される。ユーザは、ユーザの子供等の別のユーザがユーザ機器を制御することを防止することを所望し得る。例えば、親は、子供が見るために「Ｄｏｒａ  ｔｈｅ  Ｅｘｐｌｏｒｅｒ」にチャネルを合わせ得、子供が異なる番組に変更すること、音量を上げること、または任意の他の入力を防止することを所望する。従来、親は、子供からリモートコントロールを取り上げる、またはリモートコントロールを隠し得る。代替として、親は、ロックされることができる特殊リモートコントロールを購入し得る。これらの現在の方法は、親にとって不便である。さらに、リモートコントロールのみがテレビを制御し得る過去と異なり、多くのデバイスが、現在、ユーザ機器を制御することができる。例えば、単一のテレビが、複数のリモートコントロール、スマートフォンまたはタブレット上の１つ以上のアプリ、音声制御、および他の好適なリモートコントロール機構によって制御され得る。ユーザ機器を制御するためのより多くの方法を用いて、親が全ての利用可能な制御デバイスを除去またはロックすることがますます困難になりつつある。親が、子供の存在から全ての制御デバイスを無効にする、および／または除去するよりも、ユーザ機器において単一の制限をプログラムすることが容易であろう。
【０００３】
例えば、親は、ユーザ機器によって受信される要求を発行し、ユーザ機器の制御を制限し得る。本要求に応答して、ユーザ機器は、着信コマンドを無視するであろう。例えば、ユーザ機器は、ユーザコマンドを受信するための受信回路をオフにする、または無効にし得る。代替として、ユーザ機器は、全てのユーザコマンドを無視する、または（例えば、ユーザ、コマンドのタイプ、またはコマンドが発行されるデバイスに基づいて）ユーザコマンドのあるサブセットを無視する規則を設定し得る。このように、ユーザ機器への単一のコマンドのみを用いて、親は、ユーザ機器の制御を限定することができる。親は、後に、ユーザ機器の制御を許可する第２の要求を発行し得る。ユーザ機器は、次いで、受信回路をオンにする、または有効にすることによって、または全てまたはいくつかのユーザコマンドを無視する規則を除去することによって、その以前のアクションを逆転させるであろう。
【０００４】
いくつかの側面では、方法およびシステムが、ユーザ入力デバイスがユーザ機器を制御することを防止するためのユーザ機器のために、本明細書で提供される。ユーザ機器は、第１の通信パスを経由して、ユーザ機器に対するユーザ入力デバイスによる制御を制限する第１の要求を示すデータを受信する。例えば、親が部屋を出る前に、親は、ユーザ機器によって受信される要求を発行し、ユーザ機器の制御を制限する。
【０００５】
第１の要求を受信するステップに基づいて、ユーザ機器は、ユーザ入力デバイスからの第１のコマンドを無視し、第１のコマンドは、ユーザ機器の第１の設定を改変することを意図されている。例えば、親から要求を受信した後、ユーザ機器は、チャネルを変更するようにリモートコントロールを介して子供によって発行されるコマンドを受信する。ユーザ機器は、本コマンドを無視する。
【０００６】
ユーザ機器は、通信パスを経由して、ユーザ機器に対するユーザ入力デバイスによる制御を回復する第２の要求を示すデータを受信する。例えば、親は、部屋に戻り得、子供がリモートコントロールを使用することを許可することを所望し、ユーザ機器の制御を回復する要求を発行し得る。
【０００７】
第２の要求を受信するステップに応答して、ユーザ機器は、ユーザ入力デバイスからの第２のコマンドを受信し、第２のコマンドは、ユーザ機器の第２の設定を改変することを意図されている。例えば、ユーザ機器は、音量を変更するようにリモートコントロールを介して子供によって発行されるコマンドを受信する。
【０００８】
第２の要求および第２のコマンドを受信するステップに基づいて、ユーザ機器は、ユーザ機器の第２の設定を改変する。例えば、リモートコントロールによる制御を回復する親の要求およびリモートコントロールを介して音量を変更する子供のコマンドを受信するステップに応答して、ユーザ機器は、子供による要求に応じて、音量を変更する。
【０００９】
いくつかの実施形態では、第１の要求は、ユーザから受信される１つ以上の言葉によるコマンドを備える。例えば、ユーザは、言葉による命令「Ｂｏｒｉｓにチャネルを変えさせない」を述べ得る。ユーザ機器は、本命令を処理し、その後、Ｂｏｒｉｓからのチャネル変更要求に応答しないであろう。
【００１０】
いくつかの実施形態では、第１の通信パスは、ローカルエリアネットワークを備え、第１の要求および第２の要求は、ネットワーク接続されたユーザデバイスから受信される。例えば、第１の要求および第２の要求は、ローカルＷｉ−Ｆｉネットワークまたは他の好適なネットワークを経由して第１および第２の要求をユーザ機器に伝送することができる、ユーザのスマートフォンから受信されてもよい。
【００１１】
いくつかの実施形態では、第１の要求を受信するステップに応答して、ユーザ機器は、ユーザ機器に結合される受信機回路を非アクティブ化し、受信機回路は、第２の通信パスを経由してユーザ入力デバイスからコマンドを受信するために使用可能である。いくつかの実施形態では、受信機回路は、赤外線センサ、高周波センサ、およびセンサを動作させるための回路のうちの少なくとも１つを備える。例えば、ユーザ機器が赤外線リモートコントロールによって制御される場合には、リモートコントロールからのコマンドを無視するために、ユーザ機器は、赤外線受信機を非アクティブ化する、またはオフにするであろう。
【００１２】
いくつかの実施形態では、ユーザ入力デバイスからの第１のコマンドを無視するステップは、第１のユーザの身元を決定するステップであって、第１の要求は、第１のユーザから受信される入力を備える、ステップと、第１のユーザの身元に基づいて、第１のユーザが制御を制限する権限を与えられていることを決定するステップと、第１のユーザが制御を制限する権限を与えられていることを決定するステップに応答して、ユーザ入力デバイスからの第１のコマンドを無視するステップとを含む。第１のユーザの身元を決定するステップは、音声パターン認識を第１のユーザから受信される言葉による入力に適用するステップ、顔認識技法を第１のユーザの画像に適用するステップ、ユーザがユーザ入力デバイス上のボタンまたはセンサを手に取る、または押すときに、指紋認識技法を適用するステップ、または別の好適な技法を伴ってもよい。例えば、ユーザ機器が親から口頭のコマンドを受信して制御を制限する場合、ユーザ機器は、音声認識を使用して話者が親であることを決定し、親が制御を制限する権限を与えられていることを決定し、次いで、ユーザ機器において受信されるコマンドを無視するであろう。
【００１３】
いくつかの実施形態では、ユーザ機器は、第１のユーザと異なる第２のユーザの身元を決定してもよい。ユーザ機器は、第２のユーザの身元に基づいて、第２のユーザが制御を回復する権限を与えられていることを決定する。例えば、母親が最初にユーザ機器を制限する場合、（子供ではなく）父親は、制御を回復することを許可され得る。
【００１４】
いくつかの実施形態では、ユーザ機器が第１のコマンドを無視するとき、ユーザ機器は、ユーザ機器に結合されるディスプレイ上に表示するために、ユーザ入力デバイスがユーザ機器を制御することを防止されているという視覚インジケータを生成する。例えば、テレビ画面は、ユーザ機器がリモートコントロールからのコマンドを無視するように設定されるとき、通知「リモートコントロール無効」を表示してもよい。
【００１５】
いくつかの実施形態では、ユーザ機器は、無視されるユーザコマンドの１つ以上の性質を識別する規則をユーザ機器に記憶する。ユーザ機器がユーザ入力デバイスから第１のコマンドを受信するとき、第１のコマンドを規則と比較し、第１のコマンドの性質が規則の性質に合致する場合、ユーザ入力デバイスからの第１のコマンドを無視する。例えば、規則が、音量を変更する全ての要求が無視されることを示し、ユーザ機器が音量を増加させるコマンドを受信する場合、ユーザ機器は、コマンドを規則と比較し、要求されたコマンドが制限されるコマンドを示す規則に合致することを決定した後、コマンドを無視する。
【００１６】
上記で説明されるシステムおよび／または方法は、本開示の他のシステム、方法、および／または装置に適用され得る、またはそれらに従って使用され得ることに留意されたい。
【図面の簡単な説明】
【００１７】
本開示の上記および他の目的および利点は、同様の参照文字が全体を通して同様の部分を指す、添付の図面と併せて考慮される、以下の発明を実施するための形態の検討から明白となるであろう。
【００１８】
【図１】図１は、本開示のいくつかの実施形態による、ユーザ入力デバイスの使用を防止するための例証的システムのブロック図を示す。
【００１９】
【図２】図２は、本開示のいくつかの実施形態による、ユーザ入力デバイスの使用を防止するための例証的システムのブロック図を示す。
【００２０】
【図３】図３は、本開示のいくつかの実施形態による、ユーザ入力デバイスが無効にされるという通知を表示する、ユーザ機器の表示の例証的実施例を示す。
【００２１】
【図４】図４は、本開示のいくつかの実施形態による、ユーザ入力デバイスの使用を防止するためのユーザインターフェースの表示の例証的実施例を示す。
【００２２】
【図５】図５は、本開示のいくつかの実施形態による、メディアガイドアプリケーションによって生成される表示画面の例証的実施例を示す。
【００２３】
【図６】図６は、本開示のいくつかの実施形態による、メディアガイドアプリケーションによって生成される表示画面の別の例証的実施例を示す。
【００２４】
【図７】図７は、本開示のいくつかの実施形態による、例証的ユーザ機器デバイスのブロック図である。
【００２５】
【図８】図８は、本開示のいくつかの実施形態による、例証的メディアシステムのブロック図である。
【００２６】
【図９】図９は、本開示のいくつかの実施形態による、ユーザ入力デバイスの使用を防止することに関与する例証的ステップのフローチャートである。
【００２７】
【図１０】図１０は、本開示のいくつかの実施形態による、ユーザ入力デバイスによる制御を制限するための例証的ステップのフローチャートである。
【００２８】
【図１１】図１１は、本開示のいくつかの実施形態による、ユーザ入力デバイスによる制御を制限するための例証的ステップのフローチャートである。
【００２９】
【図１２】図１２は、本開示のいくつかの実施形態による、ユーザの身元に基づいてユーザ入力デバイスによる制御を制限するための例証的ステップのフローチャートである。
【００３０】
【図１３】図１３は、本開示のいくつかの実施形態による、ユーザ入力デバイスによる部分的制御を制限し、ユーザに警告するための例証的ステップのフローチャートである。
【発明を実施するための形態】
【００３１】
ユーザ入力デバイスがユーザ機器に対する制御を行使することを防止するための方法およびシステムが、本明細書に説明される。ユーザ機器は、第１のユーザから、ユーザ入力デバイスがユーザ機器に対する制御を行使することを防止する要求を受信する。要求に応答して、ユーザ機器は、ユーザ入力デバイスがユーザ機器に対する制御を行使することを防止する。例えば、ユーザ機器は、ユーザ入力デバイスからコマンドを受信する、ユーザ機器内の受信機を無効にする、またはオフにしてもよい。別の実施例として、ユーザ機器は、ユーザ入力デバイスからコマンドを受信するが、受信されたコマンドのうちのいくつかまたは全てを無視してもよい。無効にされることができる特殊リモートコントロールを伴った以前のシステムと異なり、本システムでは、ユーザ機器は、ユーザ入力デバイスから受信されるいくつかまたは全てのコマンドに反応しないように改変される。故に、ユーザ機器は、種々のユーザ入力デバイス、例えば、ユーザ機器とともに提供されるリモートコントロール、汎用リモートコントロール、携帯電話、タブレット、ビデオゲームコントローラ、音声コマンド等のうちの１つ以上のものからの制御を防止することができる。
【００３２】
制御を制限するユーザ要求は、携帯電話またはタブレット等の第１のユーザによって使用されるデバイスから伝送される信号として、第１のユーザから受信されてもよい。代替として、制御を制限するユーザ要求は、ユーザによって声に出して言われる音声コマンドであってもよい。ユーザ要求は、ユーザからユーザ機器に直接伝送されてもよい、またはルータおよび／またはサーバ等の中間回路および／または機器を通過してもよい。第１のユーザが、非アクティブ化されたユーザ入力デバイスによるユーザ機器の制御を再開することを所望する場合、ユーザは、ユーザ入力デバイスがユーザ機器に対する制御を行使することを可能にする要求を発行してもよい。
【００３３】
図１は、ユーザ機器１０２等のユーザ機器が、ユーザ入力デバイス１０６等のユーザ入力デバイスの使用を防止することができる、システム１００のブロック図を示す。図１は、２人のユーザ、すなわち、ユーザ１  １１０およびユーザ２  １１２を示す。ユーザ２  １１２は、ユーザ入力デバイス１０６の制御を有する。システム１００に示されるように、ユーザ入力デバイス１０６は、ユーザ機器１０２と通信している。通信は、双方向または一方向であり得る。
【００３４】
ユーザ機器１０２は、メディアコンテンツにアクセスするための任意のデバイスであってもよい。例えば、ユーザ機器１０２は、テレビ、セットトップボックス、スマートＴＶ、ストリーミングメディアデバイス、またはコンピュータであってもよい。ユーザ機器の種々の付加的タイプおよび機能性が、図５−８に関して以下で詳細に説明される。ユーザ機器１０２は、ユーザ機器１０２および／またはユーザ機器１０２上に実装されるメディアガイドアプリケーションと相互作用するためのユーザコマンドに応答する。メディアガイドアプリケーションは、図５−８に関して以下でさらに詳細に説明される。ユーザ機器１０２によって受信され得る例示的コマンドは、メディアを通してナビゲートして選択する、メディアを再生、一時停止、巻き戻し、および早送りする、音量を調節する、および表示設定を調節するためのコマンドを含む。
【００３５】
ユーザ機器１０２は、これらの種類のコマンドを受信するためのユーザ入力受信機１０４を含む。ユーザ入力受信機１０４は、例えば、赤外線（ＩＲ）受信機、無線周波数（ＲＦ）受信機、Ｗｉ−Ｆｉ受信機、または任意の他の種類の無線受信機であってもよい。ユーザ入力受信機１０４は、ＢＬＵＥＴＯＯＴＨ（登録商標）、ＺＩＧＢＥＥ（登録商標）、またはＺ−ＷＡＶＥ等の特定の無線通信プロトコルをサポートしてもよい。ユーザ２は、互換性のあるフォーマットでコマンドをユーザ入力受信機１０４に送信するためのユーザ入力デバイス１０６を有する。いくつかの実施形態では、ユーザ機器１０２は、異なるタイプの入力を受信するための複数の入力受信機１０４を含む。ユーザ入力デバイス１０６は、図７に関して説明される、ユーザ入力インターフェース７１０に類似し得る。ユーザ入力デバイス１０６は、リモートコントロール、マウス、トラックボール、キーパッド、キーボード、タッチスクリーン、タッチパッド、スタイラス入力、ジョイスティック、音声認識インターフェース、または他のユーザ入力インターフェース等の任意の好適なユーザインターフェースを含んでもよい。ユーザ入力デバイス１０６は、リモートコントロールまたはビデオゲームコントローラ等のユーザ機器と相互作用するための専用デバイスであってもよい、または携帯電話またはタブレット等の多目的デバイスであってもよい。
【００３６】
ユーザ入力デバイス１０６は、有線または無線接続を通して、コマンドをユーザ入力受信機１０４に直接伝送してもよい、またはコマンドは、中間チャネルまたはデバイスを通過してもよい。例えば、見通し線がＩＲ受信機によって要求される場合、ＩＲ拡張装置が使用されてもよい。別の実施例として、ユーザ入力デバイス１０６がＷｉ−Ｆｉまたは別の無線通信プロトコルを経由して通信する場合、ユーザ入力デバイス１０６は、信号をルータ等のローカルネットワークデバイスに伝送してもよく、これは、それをユーザ機器１０２に伝送する。別の実施例として、ユーザ入力デバイス１０６が４Ｇを経由して通信する場合、ユーザ入力デバイス１０６は、ユーザ機器１０２に到達する前に、セルラーネットワークを通して信号を伝送してもよい。コマンドは、ユーザ機器１０２に到達する前に、１つ以上のローカルエリアまたは広域ネットワークを通して進行してもよい。
【００３７】
いくつかの実施形態では、ユーザ２  １１２は、ユーザ入力デバイス１０６を有していない場合があり、代わりに、ユーザ機器１０２と直接相互作用する。例えば、ユーザ入力受信機１０４は、例えば、言葉またはジェスチャによるコマンドを認識するための、声、音、画像、または移動認識のためのセンサであってもよい。ユーザ入力受信機１０４またはユーザ機器１０２は、ユーザ２  １１２を識別するための音声認識、顔認識、または他の種類の認識能力を含んでもよい。代替として、ユーザ入力受信機１０４は、単純に、ユーザ２  １１２によって直接アクティブ化されることができる、ユーザ機器１０２上のボタンまたは他の物理的センサであってもよい。
【００３８】
システム１００に示されるように、ユーザ入力デバイス１０６は、ユーザ入力受信機１０４と通信することができる。図１のシステム１３０では、ユーザ１  １１０は、コマンドをユーザ機器１０２に発行しており、応答して、ユーザ入力デバイス１０６は、通信リンクを経由してＸによって示されるように、もはやユーザ入力受信機１０４と通信することができない。具体的には、ユーザ機器１０２は、もはやユーザ入力デバイス１０６からのコマンドに応答しない。これは、いくつかの方法のうちの１つで遂行され得る。ユーザ機器１０２は、ユーザ入力受信機１０４をオフにしてもよい。代替として、ユーザ機器１０２は、ユーザ入力受信機１０４から受信される全ての信号を無視してもよい。ユーザ機器１０２は、代わりに、受信された信号の性質に基づいて、ユーザ入力受信機１０４から受信されるいくつかの信号を無視してもよい。例えば、ユーザ機器１０２は、（１）コマンドを発行したデバイス、（２）コマンドを発行したユーザ、および（３）発行されたコマンドのタイプのうちの１つ以上のものに基づいて、受信される信号を無視してもよい。この場合、ユーザ機器１０２は、着信信号を取り扱う方法に関する規則をメモリの中に記憶し、受信されたコマンドを記憶された規則と比較し、コマンドを実施するか、または無視するかのいずれかである。
【００３９】
ユーザ１  １１０からユーザ機器１０２へのコマンドは、ユーザ１  １１０から直接発行されてもよい。例えば、ユーザ１  １１０は、ユーザ機器１０２によって受信される、言葉またはジェスチャによるコマンドを発行してもよい。コマンドは、声、音、画像、または移動認識のためのセンサを含み得る、ユーザ入力受信機１０４によって受信されてもよい。ユーザ入力受信機１０４またはユーザ機器１０２は、ユーザ１を識別するための音声認識、顔認識、または他の種類の認識能力を含んでもよい。代替として、ユーザ１  １１０は、ユーザ１  １１０によって直接アクティブ化されることができる、ユーザ機器１０２上のボタンまたは他の物理的センサを通してコマンドを発行してもよい。
【００４０】
図１のシステム１６０に示されるように、ユーザ１は、代わりに、ユーザ入力デバイス１０８を通してコマンドを発行してもよい。ユーザ入力デバイス１０８は、例えば、ユーザ１  １１０によって動作され、それと関連付けられ得る、携帯電話、タブレット、リモートコントロール、またはビデオゲームコントローラであってもよい。ユーザ入力デバイス１０８は、ユーザ機器１０２と通信する、ＡＭＡＺＯＮ  ＥＣＨＯ、ＮＥＳＴ、ＬＥＶＩＴＯＮ、ＥＬＫ、またはＺＩＰＡＴＯデバイス等のホームオートメーションデバイスであってもよい。ユーザ入力デバイス１０８は、ユーザ入力デバイス１０６に類似し得る、またはユーザ入力デバイス１０８は、ユーザ入力デバイス１０６から異なるタイプのデバイスであってもよい。ユーザ入力デバイス１０８が、（例えば、音声認識、顔認識、指紋または親指指紋認識を通して）コマンドを受信しているものを識別することができる場合、ユーザ入力デバイス１０８およびユーザ入力デバイス１０６は、同一のデバイスであってもよい。このようにして、ユーザ１は、同一のユーザ入力デバイス１０６または１０８を用いたユーザ２による制御を防止するコマンドを発行することができる。ユーザ入力デバイス１０６と同様に、ユーザ入力デバイス１０８は、ユーザ機器１０２と直接通信してもよい、または通信は、ルータまたはサーバ等の１つ以上の中間デバイスおよび／またはチャネルを通して進行してもよい。
【００４１】
ユーザ１  １１０は、別のユーザによる制御を防止する必要がない。例えば、ユーザ入力デバイス１０６が誤動作している場合、またはユーザ１がリモートコントロールの上に座り、偶発的コマンドを発行する傾向がある場合、ユーザ１は、ユーザ機器１０２がユーザ入力デバイス１０６からの誤ったコマンドに応答することを防止することを所望し得る。別の実施例として、ユーザ１は、ユーザ入力デバイス１０６で遊ぶ、または別様にそれと相互作用するペットを飼い得、ユーザ１は、ペットがコマンドを発行することを防止することを所望し得る。
【００４２】
図２は、第２のユーザ、すなわち、ユーザ３  ２１４がユーザ機器２０２を制御することを可能にする一方で、あるユーザ、すなわち、ユーザ２  ２１２がユーザ機器２０２を制御することを防止するための例証的システム２００のブロック図を示す。システム１３０のように、ユーザ１  ２１０は、ユーザ２  ２１２がユーザ入力デバイス２０６を用いてユーザ機器２０２を制御することを防止する、コマンドを発行している。しかしながら、ユーザ３  ２１４は、依然として、ユーザ入力受信機２０４と通信し、ユーザ入力デバイス２０８を用いてユーザ機器２０２を制御することができる。
【００４３】
これは、いくつかの方法で遂行され得る。例えば、ユーザ１  ２１０によって発行されるコマンドは、ユーザ２  ２１２のみがユーザ機器２０２を制御することができない、および／またはユーザ３  ２１４がユーザ機器２０２を制御し続け得ることを規定してもよい。これを遂行するために、ユーザ１  ２１０は、例えば、「Ｂｏｒｉｓに対してテレビをロックする」（ユーザ２  ２１２の名前がＢｏｒｉｓである）または「Ｃａｒｍｅｎ以外に対してテレビをロックする」（ユーザ３  ２１４の名前がＣａｒｍｅｎである）等の言葉によるコマンドを発行してもよい。１つの代替物として、ユーザ１  ２１０は、オンスクリーンインターフェースを使用し、ユーザ機器２０２を制御し得る、および制御し得ない人の選好を入力してもよい。ユーザ１  ２１０がユーザ機器２０２を制御することができるユーザを規定する場合には、ユーザ機器２０２は、ユーザ機器２０２を制御しようとしているユーザを区別することができなければならない。ユーザ機器２０２は、異なるユーザを異なるユーザ入力デバイスと関連付けるデータをメモリの中に記憶している場合がある。代替として、ユーザ機器２０２および／またはユーザ入力デバイスは、音声認識、顔認識、または親指指紋または指紋認識等のユーザ認識を使用し、コマンドを発行しているユーザを決定してもよい。
【００４４】
別の実施例として、ユーザ機器２０２を制御し得る、または制御し得ないユーザを規定するのではなく、ユーザ１  ２１０は、ユーザ機器２０２を制御し得る、または制御し得ない、ユーザ入力デバイスを規定してもよい。例えば、ユーザ１  ２１０は、１つ以上のタイプの入力デバイスがユーザ機器２０２を制御することを防止するが、他のタイプの入力デバイスがユーザ機器２０２を制御することを可能にし続けてもよい。一実施例として、ユーザ１  ２１０は、リモートコントロールがユーザ機器２０２を制御することを防止するが、モバイルデバイスがユーザ機器２０２を制御することを可能にし続けてもよい。したがって、ユーザ入力デバイス２０６がリモートコントロールであり、ユーザ入力デバイス２０８がモバイルデバイスである場合、ユーザ３  ２１４は、ユーザ機器２０２を制御することができるであろう一方で、ユーザ２  ２１２は、リモートコントロールを用いて、ユーザ機器２０２を制御することができないであろう。
【００４５】
代替として、ユーザ１  ２１０は、ユーザ機器２０２を制御し得る、または制御し得ない、個々の入力デバイスを規定してもよい。例えば、ユーザ１  ２１０は、ユーザ２  ２１２と関連付けられる携帯電話がユーザ機器２０２を制御することを防止するが、ユーザ３  ２１４と関連付けられる携帯電話がユーザ機器２０２を制御することを可能にし続けてもよい。デバイスは、個人化されたログイン情報を通してユーザと関連付けられてもよい。
【００４６】
他のユーザによるユーザ機器２０２の制御を限定する能力は、他のユーザよりも優れた特権、例えば、管理特権を伴う１人以上のユーザと常駐し得る。これらの特権は、世帯主によって、またはコンテンツサービスの購入者によって、決定および設定されてもよい。ユーザ機器２０２の制御を限定する能力を伴うユーザは、誰がユーザ機器２０２を制御することを誰が阻止することができるかに関して、優先順位を設定することが可能であり得る。例えば、親は、優先順位１を割り当てられ、年長の子供は、優先順位２を割り当てられ、年少の子供は、優先順位３を割り当てられてもよい。このようにして、親は、両方の子供による制御を防止することができ、年長の子供は、年少の子供による制御を防止することができる。これらの優先順位は、オンスクリーンまたは言葉によるインターフェースを通して親によって設定されることができる。優先順位は、ユーザ機器２０２のメモリの中に記憶される。
【００４７】
図３は、ユーザがユーザ機器を制御することを許可されていないことをユーザに警告する通知３０４を伴う表示３０２の例証的実施例を示す。表示３０２は、ユーザ機器１０２または２０２等のユーザ機器によって生成される。通知３０４は、ユーザ１から制御を限定するコマンドを受信するステップに基づいて生成されてもよい、またはユーザ入力デバイスがコマンドをユーザ機器に送信するときに生成されてもよい。ユーザ入力受信機がユーザ１のコマンドに応答してスイッチを切られる場合、ユーザ機器は、次いで、設定された時間周期にわたって、またはユーザ入力受信機が再びスイッチをオンにされるまで、通知３０４を表示することができる。
【００４８】
ユーザ入力受信機が依然としてオンであり、コマンドを受信している場合には、ユーザ２  ２１２等のユーザがコマンドをユーザ機器に伝送するが、ユーザ機器を制御することを防止されているとき、ユーザ機器は、通知３０４を生成してもよい。例えば、ユーザがリモートコントロールを使用しようとしている場合、オンスクリーン通知３０４は、「リモートコントロール無効」と読まれ得る。このようにして、ユーザは、コマンドをユーザ機器に送信するための継続的試行が無益であろうことを把握するであろう。
【００４９】
図４は、ユーザ入力デバイスの使用を防止するためのユーザインターフェース４００の表示の例証的実施例を示す。ユーザインターフェースは、ユーザ１によって制御されるユーザ入力デバイス１０８によって生成されてもよい。描写されるように、ユーザインターフェース４００は、携帯電話またはタブレット上にあるが、類似インターフェースが、他のタイプのユーザデバイス上に生成されてもよい、または上記で議論されるように、ユーザは、例えば、音声コマンドを使用して、オンスクリーンインターフェースの助けを借りずに設定を入力してもよい。
【００５０】
図４に示されるように、ユーザインターフェース４００は、リモートコントロール設定４０２を入力するためのインターフェースである。本インターフェースは、リモートコントロールがユーザ機器（ユーザ機器１０２または２０２等）を制御することを防止するために、またはリモートコントロールがある特徴を制御することを防止することによってのいずれかで使用されてもよい。リモートコントロールによるユーザ機器に対する制御を完全に無効にするために、ユーザ１は、リモートコントロールを無効にするボタン４０２をタップすることができる。代替として、ユーザ１は、あるリモートコントロールまたはユーザ機器特徴のみを限定することを選ぶことができる。例えば、ユーザ１は、音量ボタン４０４を選択し、ユーザ機器を、リモートコントロールによって発行される、その音量を変更する要求に無反応にしてもよい。ユーザ１は、チャネルボタン４０６を選択し、ユーザ機器を、リモートコントロールによって発行される、それが現在表示しているチャネルを変更する要求に無反応にしてもよい。ユーザ１は、購入ボタン４０８を選択し、ユーザ機器を、リモートコントロールによって発行される購入要求に無反応にしてもよい。ユーザ１は、ＤＶＲボタン４１０を選択し、ユーザ機器を、リモートコントロールによって発行される、ＤＶＲ設定を変更する要求に無反応にしてもよい。異なるユーザ機器設定およびオプションに関連する付加的または代替的ボタンが、含まれてもよい。
【００５１】
ユーザ１が、リモートコントロールを無効にする４０２ボタンを選択する場合、ユーザ機器は、そのユーザ入力受信機のスイッチを切ってもよい、またはリモートコントロールから受信される全てのコマンドを無視してもよい。図３に関して説明されるように、ユーザ機器は、リモートコントロールからコマンドを受信するときに制御が無効にされるというアラートを表示してもよい。
【００５２】
ユーザ１が、ボタン４０４−４１０のうちのいずれかを使用して個々の遠隔機能を無効にすることを選択する場合には、ユーザ機器は、いくつかのコマンドに応答するが、他のコマンドに応答しないであろう。いくつかのコマンドは、リモートコントロールによって直接発行されない場合があることに留意されたい。例えば、リモートコントロールは、「購入」ボタンを有していない場合がある。代わりに、購入するために、ユーザは、矢印ボタンおよび入力または選択ボタンを使用して、オンスクリーンインターフェースをナビゲートしてもよい。ユーザ機器は、単純に、リモートコントロールから全ての入力／選択コマンドを無視することができず、代わりに、表示されるメニューを認識しなければならず、リモートコントロールによって送信される入力／選択コマンドが購入要求に対応することを決定する場合、購入要求を無視する。
【００５３】
ユーザインターフェース４５０に示されるように、ユーザ１は、音量制御、購入制御、およびＤＶＲ制御を無効にすることを選択しているが、チャネル制御を可能にし続ける。親は、このようにしてリモートコントロール設定を設定して、子供がチャネルを素早く変えることを許可するが、音量が低いままであることを確実にし、子供が購入しない、または親のＤＶＲ要求を変更することを防止し得る。本種類のインターフェースを用いて、親は、子供に与える制御の量を決定することができる。
【００５４】
類似インターフェースが、リモートコントロール以外の他のデバイスによって許可される制御のレベルを決定付けるために使用されてもよい。例えば、ユーザ１は、通常、ユーザ機器を制御することができる、デバイス毎および／またはユーザ毎の類似メニューにアクセスしてもよい。ユーザ１によって入力される、これらの設定はそれぞれ、ユーザ機器に伝送され、それによって規則として記憶され、ユーザ機器は、規則を任意の着信コマンドと比較し、コマンドが許可されるかどうかを決定する。
【００５５】
任意の所与のコンテンツ配信システムでユーザに利用可能なコンテンツの量が、膨大であり得る。その結果、多くのユーザは、ユーザがコンテンツの選択を効率的にナビゲートし、所望し得るコンテンツを容易に識別することを可能にする、インターフェースを通したメディアガイドの形態を所望している。そのようなガイドを提供するアプリケーションは、本明細書では、双方向メディアガイドアプリケーションと称されるが、時として、メディアガイドアプリケーションまたはガイドアプリケーションと称されることもある。
【００５６】
双方向メディアガイドアプリケーションは、ガイドを提供するコンテンツに応じて、種々の形態をとってもよい。１つの典型的なタイプのメディアガイドアプリケーションは、双方向テレビ番組ガイドである。双方向テレビ番組ガイド（時として、電子番組ガイドと称される）は、とりわけ、ユーザが、多くのタイプのコンテンツまたはメディアアセット間をナビゲートし、それを特定することを可能にする、周知のガイドアプリケーションである。双方向メディアガイドアプリケーションは、ユーザが、コンテンツ間をナビゲートし、それを特定および選択することを可能にする、グラフィカルユーザインターフェース画面を生成してもよい。本明細書で参照されるように、用語「メディアアセット」および「コンテンツ」は、例えば、テレビ番組、および有料番組、オンデマンド番組（ビデオオンデマンド（ＶＯＤ）システムにおけるような）、インターネットコンテンツ（例えば、ストリーミングコンテンツ、ダウンロード可能コンテンツ、ウェブキャスト等）、ビデオクリップ、オーディオ、コンテンツ情報、写真、回転画像、ドキュメント、再生一覧、ウェブサイト、記事、書籍、電子書籍、ブログ、チャットセッション、ソーシャルメディア、アプリケーション、ゲーム、および／または任意の他のメディアまたはマルチメディア、および／またはそれらの組み合わせ等の電子的に消費可能なユーザアセットを意味すると理解されたい。ガイドアプリケーションはまた、ユーザが、コンテンツ間をナビゲートし、それを特定することを可能にする。本明細書で参照されるように、用語「マルチメディア」は、上記で説明される少なくとも２つの異なるコンテンツ形態、例えば、テキスト、オーディオ、画像、ビデオ、または双方向コンテンツ形態を利用する、コンテンツを意味すると理解されたい。コンテンツは、ユーザ機器デバイスによって、録画、再生、表示、またはアクセスされてもよいが、また、ライブパーフォーマンスの一部であることもできる。
【００５７】
本明細書で議論される実施形態のいずれかを行うためのメディアガイドアプリケーションおよび／または任意の命令は、コンピュータ可読媒体上にエンコードされてもよい。コンピュータ可読媒体は、データを記憶することが可能な任意のメディアを含む。コンピュータ可読媒体は、限定ではないが、電気または電磁信号の伝搬を含む、一過性であり得る、または限定ではないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリまたは記憶デバイスを含む、非一過性であり得る。
【００５８】
インターネット、モバイルコンピューティング、および高速無線ネットワークの出現に伴って、ユーザは、従来は使用しなかったユーザ機器デバイス上でメディアにアクセスするようになっている。本明細書で参照されるように、語句「ユーザ機器デバイス」、「ユーザ機器」、「ユーザデバイス」、「電子デバイス」、「電子機器」、「メディア機器デバイス」、または「メディアデバイス」は、テレビ、スマートＴＶ、セットトップボックス、衛星テレビに対応するための統合型受信機デコーダ（ＩＲＤ）、デジタル記憶デバイス、デジタルメディア受信機（ＤＭＲ）、デジタルメディアアダプタ（ＤＭＡ）、ストリーミングメディアデバイス、ＤＶＤプレーヤ、ＤＶＤレコーダ、接続型ＤＶＤ、ローカルメディアサーバ、ＢＬＵ−ＲＡＹ（登録商標）プレーヤ、ＢＬＵ−ＲＡＹ（登録商標）レコーダ、パーソナルコンピュータ（ＰＣ）、ラップトップコンピュータ、タブレットコンピュータ、ウェブＴＶボックス、パーソナルコンピュータテレビ（ＰＣ／ＴＶ）、ＰＣメディアサーバ、ＰＣメディアセンター、ハンドヘルドコンピュータ、固定電話、携帯情報端末（ＰＤＡ）、携帯電話、ポータブルビデオプレーヤ、ポータブル音楽プレーヤ、ポータブルゲーム機、スマートフォン、または任意の他のテレビ機器、コンピューティング機器、または無線デバイス、および／またはそれらの組み合わせ等の上記で説明されるコンテンツにアクセスするための任意のデバイスを意味すると理解されたい。いくつかの実施形態では、ユーザ機器デバイスは、正面画面および裏面画面、複数の正面画面、または複数の角度付き画面を有してもよい。いくつかの実施形態では、ユーザ機器デバイスは、正面カメラおよび／または裏面カメラを有してもよい。これらのユーザ機器デバイス上で、ユーザは、テレビを通して利用可能な同一のコンテンツ間をナビゲートし、それを特定することが可能であり得る。その結果として、メディアガイドは、これらのデバイス上でも利用可能であり得る。提供されるガイドは、テレビのみを通して利用可能なコンテンツ、他のタイプのユーザ機器デバイスのうちの１つ以上のもののみを通して利用可能なコンテンツ、またはテレビおよび他のタイプのユーザ機器デバイスのうちの１つ以上のものの両方を通して利用可能なコンテンツのためのものであってもよい。メディアガイドアプリケーションは、ユーザ機器デバイス上で、オンラインアプリケーション（すなわち、ウェブサイト上で提供される）として、または独立型アプリケーションまたはクライアントとして提供されてもよい。メディアガイドアプリケーションを実装し得る、種々のデバイスおよびプラットフォームは、以下でさらに詳細に説明される。
【００５９】
メディアガイドアプリケーションの機能のうちの１つは、メディアガイドデータをユーザに提供することである。本明細書で参照されるように、語句「メディアガイドデータ」または「ガイドデータ」は、コンテンツに関連する任意のデータまたはガイドアプリケーションを動作させる際に使用されるデータを意味すると理解されたい。例えば、ガイドデータは、番組情報、ガイドアプリケーション設定、ユーザ選好、ユーザプロファイル情報、メディア一覧、メディア関連情報（例えば、放送時間、放送チャネル、タイトル、内容、評価情報（例えば、ペアレンタルコントロール評価、批評家の評価等）、ジャンルまたはカテゴリ情報、俳優情報、放送会社またはプロバイダのロゴのロゴデータ等）、メディア形式（例えば、標準解像度、高解像度、３Ｄ等）、オンデマンド情報、ブログ、ウェブサイト、およびユーザが所望のコンテンツ選択間をナビゲートし、それを特定するために役立つ、任意の他のタイプのガイドデータを含んでもよい。
【００６０】
図５−６は、メディアガイドデータを提供するために使用され得る、例証的表示画面を示す。図５−６に示される表示画面は、任意の好適なユーザ機器デバイスまたはプラットフォーム上に実装されてもよい。図５−６の表示は、フル画面表示として図示されているが、それらはまた、表示されているコンテンツ上に完全または部分的にオーバーレイされてもよい。ユーザは、表示画面に提供された選択可能なオプション（例えば、メニューオプション、一覧オプション、アイコン、ハイパーリンク等）を選択することによって、またはリモートコントロールまたは他のユーザ入力インターフェースまたはデバイス上の専用ボタン（例えば、「ガイド」ボタン）を押下することによって、コンテンツ情報にアクセスする要望を示してもよい。ユーザのインジケーションに応答して、メディアガイドアプリケーションは、グリッド内の時間およびチャネル別、時間別、チャネル別、ソース別、コンテンツタイプ別、カテゴリ別（例えば、映画、スポーツ、ニュース、子供向け、または他の番組カテゴリ）、または他の所定、ユーザ定義、または他の編成基準等のいくつかの方法のうちの１つにおいて編成されたメディアガイドデータを表示画面に提供してもよい。
【００６１】
図５は、単一表示内の異なるタイプのコンテンツへのアクセスも可能にする、時間およびチャネル別に配列された番組一覧表示５００の例証的グリッドを示す。表示５００は、以下を伴うグリッド５０２を含んでもよい。（１）各チャネル／コンテンツタイプ識別子（列内のセル）が利用可能な異なるチャネルまたはコンテンツのタイプを識別する、チャネル／コンテンツタイプ識別子５０４の列、および（２）各時間識別子（行内のセル）が番組の時間帯を識別する、時間識別子５０６の行。グリッド５０２はまた、番組一覧５０８等の番組一覧のセルも含み、各一覧は、一覧の関連チャネルおよび時間の上に提供される、番組のタイトルを提供する。ユーザ入力デバイスを用いて、ユーザは、ハイライト領域５１０を移動させることによって番組一覧を選択することができる。ハイライト領域５１０によって選択される番組一覧に関する情報が、番組情報領域５１２内に提供されてもよい。領域５１２は、例えば、番組タイトル、番組内容、番組が提供される時間（該当する場合）、番組が放送されるチャネル（該当する場合）、番組の評価、および他の所望の情報を含んでもよい。
【００６２】
線形番組（例えば、所定の時間に複数のユーザ機器デバイスに伝送されるようにスケジュールされ、スケジュールに従って提供されるコンテンツ）にアクセスを提供することに加えて、メディアガイドアプリケーションはまた、非線形番組（例えば、任意の時間においてユーザ機器デバイスにアクセス可能であって、スケジュールに従って提供されないコンテンツ）へのアクセスも提供する。非線形番組は、オンデマンドコンテンツ（例えば、ＶＯＤ）、インターネットコンテンツ（例えば、ストリーミングメディア、ダウンロード可能メディア等）、ローカルで記憶されたコンテンツ（例えば、上記で説明される任意のユーザ機器デバイスまたは他の記憶デバイス上に記憶されたコンテンツ）、または時間的制約のない他のコンテンツを含む、異なるコンテンツソースからのコンテンツを含んでもよい。オンデマンドコンテンツは、特定のコンテンツプロバイダ（例えば、「Ｔｈｅ  Ｓｏｐｒａｎｏｓ」や「Ｃｕｒｂ  Ｙｏｕｒ  Ｅｎｔｈｕｓｉａｓｍ」を提供するＨＢＯ  Ｏｎ  Ｄｅｍａｎｄ）によって提供される映画または任意の他のコンテンツを含んでもよい。ＨＢＯ  ＯＮ  ＤＥＭＡＮＤは、Ｔｉｍｅ  Ｗａｒｎｅｒ  Ｃｏｍｐａｎｙ  Ｌ．Ｐ．らによって所有されるサービスマークであり、ＴＨＥ  ＳＯＰＲＡＮＯＳおよびＣＵＲＢ  ＹＯＵＲ  ＥＮＴＨＵＳＩＡＳＭは、Ｈｏｍｅ  Ｂｏｘ  Ｏｆｆｉｃｅ，  Ｉｎｃ．によって所有される商標である。インターネットコンテンツは、チャットセッションまたはウェブキャスト等のウェブイベント、またはインターネットウェブサイトまたは他のインターネットアクセス（例えば、ＦＴＰ）を通して、ストリーミングコンテンツまたはダウンロード可能なコンテンツとしてオンデマンドで利用可能なコンテンツを含んでもよい。
【００６３】
グリッド５０２は、オンデマンド一覧５１４、録画コンテンツ一覧５１６、およびインターネットコンテンツ一覧５１８を含む、非線形番組のメディアガイドデータを提供してもよい。異なるタイプのコンテンツソースからのコンテンツのためのメディアガイドデータを組み合わせる表示は、時として、「混合メディア」表示と称されることもある。表示５００とは異なる、表示され得るメディアガイドデータのタイプの種々の順列は、ユーザ選択またはガイドアプリケーション定義に基づいてもよい（例えば、録画および放送一覧のみの表示、オンデマンドおよび放送一覧のみの表示等）。例証されるように、一覧５１４、５１６、および５１８は、これらの一覧の選択が、それぞれ、オンデマンド一覧、録画一覧、またはインターネット一覧専用の表示へのアクセスを提供し得ることを示すように、グリッド５０２内に表示される時間帯全体に及ぶものとして示されている。いくつかの実施形態では、これらのコンテンツタイプの一覧は、グリッド５０２に直接含まれてもよい。ユーザがナビゲーションアイコン５２０のうちの１つを選択することに応答して、付加的メディアガイドデータが表示されてもよい（ユーザ入力デバイス上の矢印キーを押下することは、ナビゲーションアイコン５２０を選択することと同様に表示に影響を及ぼし得る）。
【００６４】
表示５００はまた、ビデオ領域５２２およびオプション領域５２６を含んでもよい。ビデオ領域５２２は、ユーザが、現在利用可能である、今後利用可能となる、またはユーザに利用可能であった番組を視聴および／またはプレビューすることを可能にしてもよい。ビデオ領域５２２のコンテンツは、グリッド５０２に表示される一覧のうちの１つに対応するか、またはそれから独立してもよい。ビデオ領域を含むグリッド表示は、時として、ピクチャインガイド（ＰＩＧ）表示と称されることもある。ＰＩＧ表示およびそれらの機能性は、参照することによってその全体として本明細書に組み込まれる、２００３年５月１３日発行のＳａｔｔｅｒｆｉｅｌｄらの米国特許第６，５６４，３７８号、および２００１年５月２９日発行のＹｕｅｎらの米国特許第６，２３９，７９４号でさらに詳細に説明されている。ＰＩＧ表示は、本明細書に説明される実施形態の他のメディアガイドアプリケーション表示画面に含まれてもよい。
【００６５】
オプション領域５２６は、ユーザが、異なるタイプのコンテンツ、メディアガイドアプリケーション表示、および／またはメディアガイドアプリケーション特徴にアクセスすることを可能にしてもよい。オプション領域５２６は、表示５００（および本明細書に説明される他の表示画面）の一部であってもよい、または画面上のオプションを選択すること、またはユーザ入力デバイス上の専用または割当可能ボタンを押下することによって、ユーザによって呼び出されてもよい。オプション領域５２６内の選択可能オプションは、グリッド５０２内の番組一覧に関連する特徴に関してもよい、またはメインメニュー表示から利用可能なオプションを含んでもよい。番組一覧に関連する特徴は、他の放送時間または番組の受信方法の検索、番組の録画、番組の連続録画の有効化、番組および／またはチャネルのお気に入りとしての設定、番組の購入、または他の特徴を含んでもよい。メインメニュー表示から利用可能なオプションは、検索オプション、ＶＯＤオプション、ペアレンタルコントロールオプション、インターネットオプション、クラウドベースのオプション、デバイス同期オプション、第２の画面デバイスオプション、種々のタイプのメディアガイドデータ表示にアクセスするオプション、プレミアムサービスをサブスクライブするオプション、ユーザのプロファイルを編集するオプション、ブラウザオーバーレイにアクセスするオプション、または他のオプションを含んでもよい。
【００６６】
メディアガイドアプリケーションは、ユーザの選好に基づいて個人化されてもよい。個人化されたメディアガイドアプリケーションは、ユーザが、メディアガイドアプリケーションを用いて個人化された「体験」を生成するように、表示および特徴をカスタマイズすることを可能にする。この個人化された体験は、ユーザがこれらのカスタマイズを入力することを可能にすることによって、および／または種々のユーザ選好を決定するようにメディアガイドアプリケーションがユーザアクティビティを監視することによって、生成されてもよい。ユーザは、ログインすることによって、または別様にガイドアプリケーションに対して自らを識別することによって、それらの個人化されたガイドアプリケーションにアクセスしてもよい。メディアガイドアプリケーションのカスタマイズは、ユーザプロファイルに従って作成されてもよい。カスタマイズは、提示方式（例えば、表示の色方式、テキストのフォントサイズ等）、表示されるコンテンツ一覧の側面（例えば、ＨＤＴＶ番組のみまたは３Ｄ番組のみ、お気に入りチャネル選択に基づいたユーザ指定の放送チャネル、チャネルの表示の並び替え、推奨コンテンツ等）、所望の録画特徴（例えば、特定のユーザに対する録画または連続録画、録画品質等）、ペアレンタルコントロール設定、インターネットコンテンツのカスタマイズされた提示（例えば、ソーシャルメディアコンテンツ、電子メール、電子的に配信された記事等の提示）、および他の所望のカスタマイズを変更させるステップを含んでもよい。
【００６７】
メディアガイドアプリケーションは、ユーザが、ユーザプロファイル情報を提供することを可能にしてもよい、またはユーザプロファイル情報を自動的にコンパイルしてもよい。メディアガイドアプリケーションは、例えば、ユーザがアクセスするコンテンツ、および／またはユーザがガイドアプリケーションと行い得る他の相互作用を監視してもよい。加えて、メディアガイドアプリケーションは、特定のユーザに関連する他のユーザプロファイルの全体または一部を取得し（例えば、ｗｗｗ．ａｌｌｒｏｖｉ．ｃｏｍ等のユーザがアクセスするインターネット上の他のウェブサイトから、ユーザがアクセスする他のメディアガイドアプリケーションから、ユーザがアクセスする他の双方向アプリケーションから、ユーザの別のユーザ機器デバイスから等）、および／またはメディアガイドアプリケーションがアクセスし得る他のソースから、ユーザについての情報を取得してもよい。結果として、ユーザは、ユーザの異なるユーザ機器デバイスにわたって、統一されたガイドアプリケーション体験を提供されることができる。本タイプのユーザ体験は、図８に関連して以下でさらに詳細に説明される。付加的な個人化されたメディアガイドアプリケーション特徴は、参照することによってその全体として本明細書に組み込まれる、２００５年７月１１日出願のＥｌｌｉｓらの米国特許出願公開第２００５／０２５１８２７号、２００７年１月１６日発行のＢｏｙｅｒらの米国特許第７，１６５，０９８号、および２００２年２月２１日出願のＥｌｌｉｓらの米国特許出願公開第２００２／０１７４４３０号でさらに詳細に説明されている。
【００６８】
メディアガイドを提供するための別の表示配列が、図６に示されている。ビデオモザイク表示６００は、コンテンツのタイプ、ジャンル、および／または他の編成基準に基づいて編成されたコンテンツ情報のための選択可能オプション６０２を含む。表示６００では、テレビ一覧オプション６０４が、選択され、したがって、一覧６０６、６０８、６１０、および６１２を放送番組一覧として提供する。表示６００では、一覧は、カバーアート、コンテンツからの静止画像、ビデオクリップのプレビュー、コンテンツからのライブビデオ、または一覧中のメディアガイドデータによって記述されているコンテンツをユーザに示す他のタイプのコンテンツを含む、グラフィック画像を提供してもよい。グラフィック一覧はまた、それぞれ、一覧と関連付けられるコンテンツに関するさらなる情報を提供するように、テキストを伴ってもよい。例えば、一覧６０８は、メディア部分６１４およびテキスト部分６１６を含む、１つを上回る部分を含んでもよい。メディア部分６１４および／またはテキスト部分６１６は、コンテンツをフル画面で視聴するように、またはメディア部分６１４に表示されるコンテンツに関連する情報を閲覧するように（例えば、ビデオが表示されるチャネルの一覧を閲覧するように）、選択可能であり得る。
【００６９】
表示６００中の一覧は、異なるサイズである（すなわち、一覧６０６は、一覧６０８、６１０、および６１２より大きい）が、所望に応じて、全ての一覧が同一のサイズであってもよい。一覧は、コンテンツプロバイダの所望に応じて、またはユーザ選好に基づいて、ユーザの関心の程度を示すように、またはあるコンテンツを強調するように、異なるサイズであるか、またはグラフィック的に強調されてもよい。コンテンツ一覧をグラフィック的に強調するための種々のシステムおよび方法は、例えば、参照することによってその全体として本明細書に組み込まれる、２００９年１１月１２日出願に出願されたＹａｔｅｓの米国特許出願公開第２０１０／０１５３８８５号で議論されている。
【００７０】
ユーザは、そのユーザ機器デバイスのうちの１つ以上のものから、コンテンツおよびメディアガイドアプリケーション（および上記および下記で説明されるその表示画面）にアクセスしてもよい。図７は、例証的ユーザ機器デバイス７００の一般化された実施形態を示す。ユーザ機器デバイスのより具体的な実装は、図８に関連して以下で議論される。ユーザ機器デバイス７００は、入出力（以下「Ｉ／Ｏ」）パス７０２を介して、コンテンツおよびデータを受信してもよい。Ｉ／Ｏパス７０２は、処理回路７０６および記憶装置７０８を含む制御回路７０４に、コンテンツ（例えば、放送番組、オンデマンド番組、インターネットコンテンツ、ローカルエリアネットワーク（ＬＡＮ）または広域ネットワーク（ＷＡＮ）を経由して利用可能なコンテンツ、および／または他のコンテンツ）およびデータを提供してもよい。制御回路７０４は、Ｉ／Ｏパス７０２を使用して、コマンド、要求、および他の好適なデータを送受信するために使用されてもよい。Ｉ／Ｏパス７０２は、制御回路７０４（具体的には、処理回路７０６）を１つ以上の通信パス（以下で説明される）に接続してもよい。Ｉ／Ｏ機能は、これらの通信パスのうちの１つ以上のものによって提供されてもよいが、図面が複雑になり過ぎることを回避するため、図７では単一パスとして示されている。
【００７１】
制御回路７０４は、処理回路７０６等の任意の好適な処理回路に基づいてもよい。本明細書で参照されるように、処理回路とは、１つ以上のマイクロプロセッサ、マイクロコントローラ、デジタル信号プロセッサ、プログラマブル論理デバイス、フィールドプログラマブルゲートアレイ（ＦＰＧＡ）、特定用途向け集積回路（ＡＳＩＣ）等に基づく回路を意味すると理解され、マルチコアプロセッサ（例えば、デュアルコア、クアドコア、ヘクサコア、または任意の好適な数のコア）またはスーパーコンピュータを含んでもよい。いくつかの実施形態では、処理回路は、複数の別個のプロセッサまたは処理ユニット、例えば、複数の同一のタイプの処理ユニット（例えば、２つのＩｎｔｅｌ  Ｃｏｒｅ  ｉ７プロセッサ）または複数の異なるプロセッサ（例えば、Ｉｎｔｅｌ  Ｃｏｒｅ  ｉ５プロセッサおよびＩｎｔｅｌ  Ｃｏｒｅ  ｉ７プロセッサ）にわたって分散されてもよい。いくつかの実施形態では、制御回路７０４は、メモリ（すなわち、記憶装置７０８）に記憶されたメディアガイドアプリケーションに対する命令を実行する。具体的には、制御回路７０４は、メディアガイドアプリケーションによって、上記および下記で議論される機能を果たすように命令されてもよい。例えば、メディアガイドアプリケーションは、制御回路７０４に、メディアガイド表示を生成するための命令を提供してもよい。いくつかの実装では、制御回路７０４によって実施される任意のアクションは、メディアガイドアプリケーションから受信される命令に基づいてもよい。
【００７２】
クライアントサーバベースの実施形態では、制御回路７０４は、ガイドアプリケーションサーバまたは他のネットワークまたはサーバと通信するための好適な通信回路を含んでもよい。上記に述べられる機能性を実施するための命令は、ガイドアプリケーションサーバ上に記憶されてもよい。通信回路は、ケーブルモデム、総合デジタル通信網（ＩＳＤＮ）モデム、デジタルサブスクライバ回線（ＤＳＬ）モデム、電話モデム、イーサネット（登録商標）カード、または他の機器との通信用の無線モデム、または任意の他の好適な通信回路を含んでもよい。そのような通信は、インターネットまたは任意の他の好適な通信ネットワークまたはパスを伴ってもよい（図８に関連してさらに詳細に説明される）。加えて、通信回路は、ユーザ機器デバイスのピアツーピア通信、または相互から遠隔の場所にあるユーザ機器デバイスの通信を可能にする回路を含んでもよい（以下でさらに詳細に説明される）。
【００７３】
メモリは、制御回路７０４の一部である、記憶装置７０８として提供される、電子記憶デバイスであってもよい。本明細書で参照されるように、語句「電子記憶デバイス」または「記憶デバイス」とは、ランダムアクセスメモリ、読取専用メモリ、ハードドライブ、光学ドライブ、デジタルビデオディスク（ＤＶＤ）レコーダ、コンパクトディスク（ＣＤ）レコーダ、ＢＬＵ−ＲＡＹ（登録商標）ディスク（ＢＤ）レコーダ、ＢＬＵ−ＲＡＹ（登録商標）  ３Ｄディスクレコーダ、デジタルビデオレコーダ（ＤＶＲ、または時として、パーソナルビデオレコーダ（ＰＶＲ）と呼ばれる場合もある）、ソリッドステートデバイス、量子記憶デバイス、ゲームコンソール、ゲームメディア、または任意の他の好適な固定またはリムーバブル記憶デバイス、および／またはそれらの任意の組み合わせ等の電子データ、コンピュータソフトウェア、またはファームウェアを記憶するための任意のデバイスを意味すると理解されたい。記憶装置７０８は、本明細書に説明される種々のタイプのコンテンツ、および上記で説明されるメディアガイドデータを記憶するために使用されてもよい。不揮発性メモリもまた、（例えば、ブートアップルーチンおよび他の命令を起動するために）使用されてもよい。図８に関連して説明される、クラウドベースの記憶装置が、記憶装置７０８を補完するために、または記憶装置７０８の代わりに使用されてもよい。
【００７４】
制御回路７０４は、１つ以上のアナログチューナ、１つ以上のＭＰＥＧ−２デコーダ、または他のデジタルデコード回路、高解像度チューナ、または任意の他の好適な同調またはビデオ回路、またはそのような回路の組み合わせ等のビデオ生成回路および同調回路を含んでもよい。（例えば、記憶するために、無線、アナログ、またはデジタル信号をＭＰＥＧ信号に変換するための）エンコード回路もまた、提供されてもよい。制御回路７０４はまた、コンテンツをユーザ機器デバイス７００の好ましい出力形式に上方変換および下方変換するためのスケーリング回路を含んでもよい。制御回路７０４はまた、デジタル信号とアナログ信号との間で変換するためのデジタル／アナログ変換回路およびアナログ／デジタル変換回路を含んでもよい。同調およびエンコード回路は、コンテンツを受信して表示する、再生する、または録画するために、ユーザ機器デバイスによって使用されてもよい。同調およびエンコード回路はまた、ガイドデータを受信するために使用されてもよい。例えば、同調、ビデオ生成、エンコード、デコード、暗号化、解読、スケーリング、およびアナログ／デジタル回路を含む、本明細書に説明される回路は、１つ以上の汎用または特殊プロセッサ上で起動するソフトウェアを使用して実装されてもよい。複数のチューナが、同時同調機能（例えば、視聴および録画機能、ピクチャインピクチャ（ＰＩＰ）機能、多重チューナ録画機能等）に対処するように提供されてもよい。記憶装置７０８が、ユーザ機器デバイス７００とは別のデバイスとして提供される場合、同調およびエンコード回路（複数のチューナを含む）は、記憶装置７０８と関連付けられてもよい。
【００７５】
ユーザは、ユーザ入力インターフェース７１０を使用して、命令を制御回路７０４に送信してもよい。ユーザ入力インターフェース７１０は、リモートコントロール、マウス、トラックボール、キーパッド、キーボード、タッチスクリーン、タッチパッド、スタイラス入力、ジョイスティック、音声認識インターフェース、または他のユーザ入力インターフェース等の任意の好適なユーザインターフェースであってもよい。ディスプレイ７１２は、独立型デバイスとして提供されるか、またはユーザ機器デバイス７００の他の要素と統合されてもよい。例えば、ディスプレイ７１２は、タッチスクリーンまたはタッチセンサ式ディスプレイであってもよい。そのような状況では、ユーザ入力インターフェース７１０は、ディスプレイ７１２と統合される、または組み合わせられてもよい。ディスプレイ７１２は、モニタ、テレビ、モバイルデバイス用液晶ディスプレイ（ＬＣＤ）、非晶質シリコンディスプレイ、低温ポリシリコンディスプレイ、電子インクディスプレイ、電気泳動ディスプレイ、アクティブマトリクスディスプレイ、エレクトロウェッティングディスプレイ、電気流体ディスプレイ、ブラウン管ディスプレイ、発光ダイオードディスプレイ、エレクトロルミネセントディスプレイ、プラズマディスプレイパネル、高性能アドレッシングディスプレイ、薄膜トランジスタディスプレイ、有機発光ダイオードディスプレイ、表面伝導型電子放出素子ディスプレイ（ＳＥＤ）、レーザテレビ、カーボンナノチューブ、量子ドットディスプレイ、干渉変調器ディスプレイ、または視覚的画像を表示するための任意の他の好適な機器のうちの１つ以上のものであってもよい。いくつかの実施形態では、ディスプレイ７１２は、ＨＤＴＶ対応型であり得る。いくつかの実施形態では、ディスプレイ７１２は、３Ｄディスプレイであってもよく、双方向メディアガイドアプリケーションおよび任意の好適なコンテンツは、３Ｄで表示されてもよい。ビデオカードまたはグラフィックカードは、ディスプレイ７１２への出力を生成してもよい。ビデオカードは、３Ｄシーンおよび２Ｄグラフィックのレンダリング加速、ＭＰＥＧ−２／ＭＰＥＧ−４デコード、ＴＶ出力、または複数のモニタを接続する能力等の種々の機能を提供し得る。ビデオカードは、制御回路７０４に関連する上記で説明される任意の処理回路であってもよい。ビデオカードは、制御回路７０４と統合されてもよい。スピーカ７１４は、ユーザ機器デバイス７００の他の要素と統合されたものとして提供されてもよい、または独立型ユニットであってもよい。ディスプレイ７１２上に表示されるビデオおよび他のコンテンツのオーディオコンポーネントは、スピーカ７１４を通して再生されてもよい。いくつかの実施形態では、オーディオは、スピーカ７１４を介して音声を処理および出力する、受信機（図示せず）に配信されてもよい。
【００７６】
ガイドアプリケーションは、任意の好適なアーキテクチャを使用して実装されてもよい。例えば、これは、ユーザ機器デバイス７００上で完全に実装される、独立型アプリケーションであってもよい。そのようなアプローチでは、アプリケーションの命令は、ローカルで（例えば、記憶装置７０８内に）記憶され、アプリケーションによって使用するためのデータは、周期的にダウンロードされる（例えば、帯域外フィードから、インターネットリソースから、または別の好適なアプローチを使用して）。制御回路７０４は、記憶装置７０８からアプリケーションの命令を読み出し、本明細書で議論される表示のうちのいずれかを生成するように命令を処理してもよい。処理された命令に基づいて、制御回路７０４は、入力が入力インターフェース７１０から受信されるときに実施するアクションを決定してもよい。例えば、表示上のカーソルの上／下への移動は、入力インターフェース７１０が上／下ボタンが選択されたことを示すとき、処理された命令によって示されてもよい。
【００７７】
いくつかの実施形態では、メディアガイドアプリケーションは、クライアントサーバベースのアプリケーションである。ユーザ機器デバイス７００上に実装される、シックまたはシンクライアントによって使用するためのデータは、ユーザ機器デバイス７００の遠隔にあるサーバに要求を発行することによって、オンデマンドで読み出される。クライアントサーバベースのガイドアプリケーションの一実施例では、制御回路７０４は、遠隔サーバによって提供されるウェブページを解釈する、ウェブブラウザを起動する。例えば、遠隔サーバは、記憶デバイス内にアプリケーションのための命令を記憶してもよい。遠隔サーバは、回路（例えば、制御回路７０４）を使用して、記憶された命令を処理し、上記および下記で議論される表示を生成してもよい。クライアントデバイスは、遠隔サーバによって生成される表示を受信してもよく、表示のコンテンツを機器デバイス７００上でローカルで表示してもよい。このように、命令の処理が、サーバによって遠隔で実施される一方、結果として生じる表示は、機器デバイス７００上にローカルに提供される。機器デバイス７００は、入力インターフェース７１０を介して、ユーザからの入力を受信し、対応する表示を処理および生成するために、それらの入力を遠隔サーバに伝送してもよい。例えば、機器デバイス７００は、上／下ボタンが入力インターフェース７１０を介して選択されたことを示す、通信を遠隔サーバに伝送してもよい。遠隔サーバは、その入力に従って命令を処理し、入力に対応するアプリケーションの表示を生成してもよい（例えば、カーソルを上／下に移動させる表示）。生成された表示は、次いで、ユーザへの提示のために、機器デバイス７００に伝送される。
【００７８】
いくつかの実施形態では、メディアガイドアプリケーションは、インタープリタまたは仮想マシン（制御回路７０４によって起動される）によって、ダウンロードされ、解釈または別様に起動される。いくつかの実施形態では、ガイドアプリケーションは、ＥＴＶバイナリ交換形式（ＥＴＶ  Ｂｉｎａｒｙ  Ｉｎｔｅｒｃｈａｎｇｅ  Ｆｏｒｍａｔ／ＥＢＩＦ）でエンコードされ、好適なフィードの一部として制御回路７０４によって受信され、制御回路７０４上で起動するユーザエージェントによって解釈されてもよい。例えば、ガイドアプリケーションは、ＥＢＩＦアプリケーションであってもよい。いくつかの実施形態では、ガイドアプリケーションは、制御回路７０４によって実行されるローカル仮想マシンまたは他の好適なミドルウェアによって受信および起動される、一連のＪＡＶＡ（登録商標）ベースのファイルによって定義されてもよい。そのような実施形態のうちのいくつか（例えば、ＭＰＥＧ−２または他のデジタルメディアエンコードスキームを採用するもの）では、ガイドアプリケーションは、例えば、番組のＭＰＥＧオーディオおよびビデオパケットを用いたＭＰＥＧ−２オブジェクトカルーセルにおいてエンコードおよび伝送されてもよい。
【００７９】
図７のユーザ機器デバイス７００は、ユーザテレビ機器８０２、ユーザコンピュータ機器８０４、無線ユーザ通信デバイス８０６、または非携帯用ゲーム機等のコンテンツにアクセスするために好適な任意の他のタイプのユーザ機器として、図８のシステム８００に実装されることができる。簡単にするために、これらのデバイスは、本明細書では総称して、ユーザ機器またはユーザ機器デバイスと称されてもよく、上記で説明されるユーザ機器デバイスに実質的に類似し得る。メディアガイドアプリケーションが実装され得る、ユーザ機器デバイスは、独立型デバイスとして機能してもよい、またはデバイスのネットワークの一部であってもよい。デバイスの種々のネットワーク構成が実装されてもよく、以下でさらに詳細に議論される。
【００８０】
図７に関連して上記で説明されるシステム特徴のうちの少なくともいくつかを利用する、ユーザ機器デバイスは、単に、ユーザテレビ機器８０２、ユーザコンピュータ機器８０４、または無線ユーザ通信デバイス８０６として分類されなくてもよい。例えば、ユーザテレビ機器８０２は、いくつかのユーザコンピュータ機器８０４のように、インターネットコンテンツへのアクセスを可能にするインターネット対応型であり得る一方で、ユーザコンピュータ機器８０４は、あるテレビ機器８０２のように、テレビ番組へのアクセスを可能にするチューナを含んでもよい。メディアガイドアプリケーションはまた、種々の異なるタイプのユーザ機器上で同一のレイアウトを有してもよい、またはユーザ機器の表示能力に合わせられてもよい。例えば、ユーザコンピュータ機器８０４上では、ガイドアプリケーションは、ウェブブラウザによってアクセスされるウェブサイトとして提供されてもよい。別の実施例では、ガイドアプリケーションは、無線ユーザ通信デバイス８０６用に縮小されてもよい。
【００８１】
システム８００では、典型的には、各タイプのユーザ機器デバイスが１つを上回って存在するが、図面が複雑になり過ぎることを回避するように、それぞれ１つだけが図８に示されている。加えて、各ユーザは、１つを上回るタイプのユーザ機器デバイスと、また、各タイプのユーザ機器デバイスのうちの１つを上回るものとを利用してもよい。
【００８２】
いくつかの実施形態では、ユーザ機器デバイス（例えば、ユーザテレビ機器８０２、ユーザコンピュータ機器８０４、無線ユーザ通信デバイス８０６）は、「第２の画面デバイス」と称されてもよい。例えば、第２の画面デバイスは、第１のユーザ機器デバイス上に提示されるコンテンツを補完してもよい。第２の画面デバイス上に提示されるコンテンツは、第１のデバイス上に提示されるコンテンツを補完する、任意の好適なコンテンツであってもよい。いくつかの実施形態では、第２の画面デバイスは、第１のデバイスの設定および表示選好を調節するためのインターフェースを提供する。いくつかの実施形態では、第２の画面デバイスは、他の第２の画面デバイスと相互作用するため、またはソーシャルネットワークと相互作用するために構成される。第２の画面デバイスは、第１のデバイスと同一の部屋内に位置することができるか、第１のデバイスと異なる部屋であるが同一の家または建物内に位置することができるか、または、第１のデバイスと異なる建物内に位置することができる。
【００８３】
ユーザはまた、家庭内デバイスおよび遠隔デバイスにわたって一貫したメディアガイドアプリケーション設定を維持するように、種々の設定を設定してもよい。設定は、本明細書に説明されるもの、およびお気に入りのチャネルおよび番組、番組を推奨するためにガイドアプリケーションが利用する番組選好、表示選好、および他の望ましいガイド設定を含む。例えば、ユーザが、そのオフィスのパーソナルコンピュータ上、例えば、ウェブサイトｗｗｗ．ａｌｌｒｏｖｉ．ｃｏｍの上で、チャネルをお気に入りとして設定した場合、同一のチャネルが、ユーザの家庭内デバイス（例えば、ユーザテレビ機器およびユーザコンピュータ機器）上で、および所望に応じて、ユーザのモバイルデバイス上でお気に入りとして表示されるであろう。したがって、同一タイプのユーザ機器デバイスまたは異なるタイプのユーザ機器デバイスであるかにかかわらず、１つのユーザ機器デバイス上で行われる変更は、別のユーザ機器デバイス上のガイド体験を変更することができる。加えて、行われる変更は、ユーザによって入力される設定、およびガイドアプリケーションによって監視されるユーザアクティビティに基づいてもよい。
【００８４】
ユーザ機器デバイスは、通信ネットワーク８１４に結合されてもよい。すなわち、ユーザテレビ機器８０２、ユーザコンピュータ機器８０４、および無線ユーザ通信デバイス８０６は、それぞれ、通信パス８０８、８１０、および８１２を介して、通信ネットワーク８１４に結合される。通信ネットワーク８１４は、インターネット、携帯電話ネットワーク、モバイルボイスまたはデータネットワーク（例えば、４ＧまたはＬＴＥネットワーク）、ケーブルネットワーク、公衆交換電話ネットワーク、または他のタイプの通信ネットワーク、または通信ネットワークの組み合わせを含む、１つ以上のネットワークであってもよい。パス８０８、８１０、および８１２は、別個または一緒に、衛星パス、光ファイバパス、ケーブルパス、インターネット通信をサポートするパス（例えば、ＩＰＴＶ）、フリースペース接続（例えば、放送または他の無線信号用）、または任意の他の好適な有線または無線通信パス、またはそのようなパスの組み合わせ等の１つ以上の通信パスを含んでもよい。パス８１２は、図８に示される例示的実施形態では、無線パスであることを示すように破線で描かれ、パス８０８および８１０は、有線パスであることを示すように実線として描かれている（しかし、これらのパスは、所望に応じて、無線パスであってもよい）。ユーザ機器デバイスとの通信は、これらの通信パスのうちの１つ以上のものによって提供されてもよいが、図８では、図面が複雑になり過ぎることを回避するように、単一パスとして示されている。
【００８５】
通信パスは、ユーザ機器デバイスの間には描かれていないが、これらのデバイスは、パス８０８、８１０、および８１２に関連して上記で説明されるもの、およびＵＳＢケーブル、ＩＥＥＥ  １３９４ケーブル、無線パス（例えば、Ｂｌｕｅｔｏｏｔｈ（登録商標）、赤外線、ＩＥＥＥ  ８０２−１１ｘ等）等の他の短距離ポイントツーポイント通信パス、または有線または無線パスを介した他の短距離通信等の通信パス等を介して、相互に直接通信してもよい。ＢＬＵＥＴＯＯＴＨ（登録商標）は、Ｂｌｕｅｔｏｏｔｈ  ＳＩＧ，  ＩＮＣ．によって所有される認証マークである。ユーザ機器デバイスはまた、通信ネットワーク８１４を介した間接パスを通して、相互に直接通信してもよい。
【００８６】
システム８００は、それぞれ、通信パス８２０および８２２を介して、通信ネットワーク８１４に結合される、コンテンツソース８１６およびメディアガイドデータソース８１８を含む。パス８２０および８２２は、パス８０８、８１０、および８１２に関連して上記で説明される通信パスのうちのいずれかを含んでもよい。コンテンツソース８１６およびメディアガイドデータソース８１８との通信は、１つ以上の通信パスを介して交信されてもよいが、図８では、図面が複雑になり過ぎることを回避するように、単一パスとして示される。加えて、コンテンツソース８１６およびメディアガイドデータソース８１８のそれぞれが１つを上回って存在し得るが、図８では、図面が複雑になり過ぎることを回避するように、それぞれ１つだけが示されている。（異なるタイプのこれらのソースのそれぞれが以下で議論される）。所望に応じて、コンテンツソース８１６およびメディアガイドデータソース８１８は、１つのソースデバイスとして統合されてもよい。ソース８１６および８１８と、ユーザ機器デバイス８０２、８０４、および８０６との間の通信は、通信ネットワーク８１４を通したものとして示されるが、いくつかの実施形態では、ソース８１６および８１８は、パス８０８、８１０、および８１２に関連して上記で説明されるもの等の通信パス（図示せず）を介して、ユーザ機器デバイス８０２、８０４、および８０６と直接通信してもよい。
【００８７】
コンテンツソース８１６は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のコンテンツプロバイダを含む、１つ以上のタイプのコンテンツ配信機器を含んでもよい。ＮＢＣは、Ｎａｔｉｏｎａｌ  Ｂｒｏａｄｃａｓｔｉｎｇ  Ｃｏｍｐａｎｙ，  Ｉｎｃ．によって所有される商標であり、ＡＢＣは、Ａｍｅｒｉｃａｎ  Ｂｒｏａｄｃａｓｔｉｎｇ  Ｃｏｍｐａｎｙ，  ＩＮＣ．によって所有される商標であり、ＨＢＯは、Ｈｏｍｅ  Ｂｏｘ  Ｏｆｆｉｃｅ，  Ｉｎｃ．によって所有される商標である。コンテンツソース８１６は、コンテンツの発信元であってもよく（例えば、テレビ放送会社、ウェブキャストプロバイダ等）、またはコンテンツの発信元でなくてもよい（例えば、オンデマンドコンテンツプロバイダ、ダウンロード用放送番組のコンテンツのインターネットプロバイダ等）。コンテンツソース８１６は、ケーブルソース、衛星プロバイダ、オンデマンドプロバイダ、インターネットプロバイダ、オーバーザトップコンテンツプロバイダ、または他のコンテンツのプロバイダを含んでもよい。コンテンツソース８１６はまた、ユーザ機器デバイスのうちのいずれかから遠隔の場所にある、異なるタイプのコンテンツ（ユーザによって選択されるビデオコンテンツを含む）を記憶するために使用される、遠隔メディアサーバを含んでもよい。コンテンツの遠隔記憶のため、および遠隔に記憶されたコンテンツをユーザ機器に提供するためのシステムおよび方法は、参照することによってその全体として本明細書に組み込まれる、２０１０年７月２０日出願のＥｌｌｉｓらの米国特許第７，７６１，８９２号に関連して、さらに詳細に議論されている。
【００８８】
メディアガイドデータソース８１８は、上記で説明されるメディアガイドデータ等のメディアガイドデータを提供してもよい。メディアガイドデータは、任意の好適なアプローチを使用して、ユーザ機器デバイスに提供されてもよい。いくつかの実施形態では、ガイドアプリケーションは、データフィード（例えば、継続フィードまたはトリクルフィード）を介して、番組ガイドデータを受信する、独立型双方向テレビ番組ガイドであってもよい。番組スケジュールデータおよび他のガイドデータは、テレビチャネルのサイドバンド上で、帯域内デジタル信号を使用して、帯域外デジタル信号を使用して、または任意の他の好適なデータ伝送技術によって、ユーザ機器に提供されてもよい。番組スケジュールデータおよび他のメディアガイドデータは、複数のアナログまたはデジタルテレビチャネル上でユーザ機器に提供されてもよい。
【００８９】
いくつかの実施形態では、メディアガイドデータソース８１８からのガイドデータは、クライアントサーバアプローチを使用して、ユーザの機器に提供されてもよい。例えば、ユーザ機器デバイスは、メディアガイドデータをサーバからプルしてもよい、またはサーバは、メディアガイドデータをユーザ機器デバイスにプッシュしてもよい。いくつかの実施形態では、ユーザの機器上に常駐するガイドアプリケーションクライアントは、必要に応じて、例えば、ガイドデータが、古くなっているとき、またはユーザ機器デバイスが、データを受信するための要求をユーザから受信するとき、ソース８１８とセッションを開始し、ガイドデータを取得してもよい。メディアガイドは、任意の好適な頻度で（例えば、継続的に、毎日、ユーザ規定期間で、システム規定期間で、ユーザ機器からの要求に応答して等）ユーザ機器に提供されてもよい。メディアガイドデータソース８１８は、ユーザ機器デバイス８０２、８０４、および８０６に、メディアガイドアプリケーション自体、またはメディアガイドアプリケーションのソフトウェア更新を提供してもよい。
【００９０】
いくつかの実施形態では、メディアガイドデータは、視聴者データを含んでもよい。例えば、視聴者データは、現在および／または履歴ユーザアクティビティ情報（例えば、ユーザが典型的に鑑賞するコンテンツ、ユーザがコンテンツを鑑賞する時刻、ユーザがソーシャルネットワークと相互作用するかどうか、ユーザがソーシャルネットワークと相互作用し、情報をポストする時間、ユーザが典型的に鑑賞するコンテンツのタイプ（例えば、有料ＴＶまたは無料ＴＶ）、気分、脳の活動情報等）を含んでもよい。メディアガイドデータはまた、サブスクリプションデータを含んでもよい。例えば、サブスクリプションデータは、所与のユーザがサブスクライブするソースまたはサービスおよび／または所与のユーザが以前にサブスクライブしていたが、後にアクセスを打ち切ったソースまたはサービス（例えば、ユーザがプレミアムチャネルをサブスクライブしているかどうか、ユーザがプレミアムレベルのサービスを追加したかどうか、ユーザがインターネット速度を加速させたかどうか）を識別してもよい。いくつかの実施形態では、視聴者データおよび／またはサブスクリプションデータは、１年を上回る周期の間の所与のユーザのパターンを識別してもよい。メディアガイドデータは、所与のユーザがサービス／ソースへのアクセスを打ち切るであろう可能性を示すスコアを生成するために使用される、モデル（例えば、残存者モデル）を含んでもよい。例えば、メディアガイドアプリケーションは、所与のユーザが特定のサービスまたはソースへのアクセスを打ち切るであろうかどうかの可能性を示す、値またはスコアを生成するためのモデルを併用して、サブスクリプションデータとともに視聴者データを処理してもよい。特に、より高いスコアは、ユーザが特定のサービスまたはソースへのアクセスを打ち切るであろう、より高いレベルの信頼性を示し得る。スコアに基づいて、メディアガイドアプリケーションは、ユーザがアクセスを打ち切る可能性が高いであろうものとしてスコアによって示される特定のサービスまたはソースをユーザが維持するように勧誘する宣伝を生成してもよい。
【００９１】
メディアガイドアプリケーションは、例えば、ユーザ機器デバイス上に実装される独立型アプリケーションであってもよい。例えば、メディアガイドアプリケーションは、記憶装置７０８内に記憶され、ユーザ機器デバイス７００の制御回路７０４によって実行され得る、ソフトウェアまたは実行可能命令のセットとして実装されてもよい。いくつかの実施形態では、メディアガイドアプリケーションは、クライアント−サーバアプリケーションであってもよく、その場合、クライアントアプリケーションのみが、ユーザ機器デバイス上に常駐し、サーバアプリケーションは、遠隔サーバ上に常駐する。例えば、メディアガイドアプリケーションは、部分的にユーザ機器デバイス７００の制御回路７０４上のクライアントアプリケーションとして、および遠隔サーバの制御回路上で起動するサーバアプリケーション（例えば、メディアガイドデータソース８１８）として部分的に遠隔サーバ上で、実装されてもよい。遠隔サーバの制御回路（メディアガイドデータソース８１８等）によって実行されると、メディアガイドアプリケーションは、制御回路に、ガイドアプリケーション表示を生成し、生成された表示をユーザ機器デバイスに伝送するように命令してもよい。サーバアプリケーションは、メディアガイドデータソース８１８の制御回路に、ユーザ機器上での記憶のためのデータを伝送するように命令してもよい。クライアントアプリケーションは、受信用ユーザ機器の制御回路に、ガイドアプリケーション表示を生成するように命令してもよい。
【００９２】
ユーザ機器デバイス８０２、８０４、および８０６に配信されるコンテンツおよび／またはメディアガイドデータは、オーバーザトップ（ＯＴＴ）コンテンツであってもよい。ＯＴＴコンテンツ配信は、上記で説明される任意のユーザ機器デバイスを含む、インターネット対応型ユーザデバイスが、ケーブルまたは衛星接続を経由して受信されるコンテンツに加えて、上記で説明される任意のコンテンツを含む、インターネットを経由して転送されるコンテンツを受信することを可能にする。ＯＴＴコンテンツは、インターネットサービスプロバイダ（ＩＳＰ）によって提供されるインターネット接続を介して配信されるが、第三者も、コンテンツを配信する。ＩＳＰは、視聴能力、著作権、またはコンテンツの再配信に責任がない場合があり、ＯＴＴコンテンツプロバイダによって提供されるＩＰパケットのみを転送してもよい。ＯＴＴコンテンツプロバイダの実施例は、ＩＰパケットを介して、オーディオおよびビデオを提供する、ＹＯＵＴＵＢＥ（登録商標）、ＮＥＴＦＬＩＸ、およびＨＵＬＵを含む。Ｙｏｕｔｕｂｅ（登録商標）は、Ｇｏｏｇｌｅ  Ｉｎｃ．によって所有される商標であり、Ｎｅｔｆｌｉｘは、Ｎｅｔｆｌｉｘ，  Ｉｎｃ．によって所有される商標であり、Ｈｕｌｕは、Ｈｕｌｕ，  ＬＬＣ．によって所有される商標である。ＯＴＴコンテンツプロバイダは、加えて、または代替として、上述のようなメディアガイドデータを提供してもよい。コンテンツおよび／またはメディアガイドデータに加えて、ＯＴＴコンテンツのプロバイダは、メディアガイドアプリケーション（例えば、ウェブベースのアプリケーションまたはクラウドベースのアプリケーション）を配信することができる、またはコンテンツは、ユーザ機器デバイス上に記憶されたメディアガイドアプリケーションによって表示されることができる。
【００９３】
システム８００は、いくつかのアプローチまたはネットワーク構成を例証することを意図しており、これによって、ユーザ機器デバイスおよびコンテンツおよびガイドデータのソースは、コンテンツにアクセスし、メディアガイドを提供する目的のために、相互に通信してもよい。本明細書に説明される実施形態は、これらのアプローチのうちのいずれか１つまたは一部において、またはコンテンツを配信し、メディアガイドを提供するための他のアプローチを採用するシステムにおいて、適用されてもよい。以下の４つのアプローチは、図８の一般化された実施例の具体的例証を提供する。
【００９４】
あるアプローチでは、ユーザ機器デバイスは、ホームネットワーク内で相互に通信してもよい。ユーザ機器デバイスは、上記で説明される短距離ポイントツーポイント通信方式を介して、ホームネットワーク上に提供されるハブまたは他の類似デバイスを通した間接パスを介して、または通信ネットワーク８１４を介して、相互に直接通信することができる。１つの家庭内の複数の個人のそれぞれが、ホームネットワーク上の異なるユーザ機器デバイスを動作させてもよい。結果として、種々のメディアガイド情報または設定が、異なるユーザ機器デバイスの間で通信されることが望ましくあり得る。例えば、２００５年７月１１日出願のＥｌｌｉｓらの米国特許公開第２００５／０２５１８２７号でさらに詳細に説明されるように、ホームネットワーク内の異なるユーザ機器デバイス上で、ユーザが一貫したメディアガイドアプリケーション設定を維持することが望ましくあり得る。ホームネットワーク内の異なるタイプのユーザ機器デバイスもまた、相互に通信し、コンテンツを伝送してもよい。例えば、ユーザは、ユーザコンピュータ機器から携帯用ビデオプレーヤまたは携帯用音楽プレーヤにコンテンツを伝送してもよい。
【００９５】
第２のアプローチでは、ユーザは、複数のタイプのユーザ機器を有してもよく、これによって、コンテンツにアクセスし、メディアガイドを取得する。例えば、一部のユーザは、家庭内およびモバイルデバイスによってアクセスされる、ホームネットワークを有してもよい。ユーザは、遠隔デバイス上に実装されるメディアガイドアプリケーションを介して、家庭内デバイスを制御してもよい。例えば、ユーザは、そのオフィスのパーソナルコンピュータ、またはＰＤＡまたはウェブ対応携帯電話等のモバイルデバイスを介して、ウェブサイト上のオンラインメディアガイドアプリケーションにアクセスしてもよい。ユーザは、オンラインガイドアプリケーション上で種々の設定（例えば、録画、リマインダ、または他の設定）を設定して、ユーザの家庭内機器を制御してもよい。オンラインガイドは、直接、またはユーザの家庭内機器上のメディアガイドアプリケーションと通信することによって、ユーザの機器を制御してもよい。ユーザ機器デバイスが相互から遠隔の場所にある、ユーザ機器デバイスの通信のための種々のシステムおよび方法は、例えば、参照することによってその全体として本明細書に組み込まれる、Ｅｌｌｉｓらの２０１１年１０月２５日発行の米国特許第８，０４６，８０１号で議論されている。
【００９６】
第３のアプローチでは、家庭内外のユーザ機器デバイスのユーザは、コンテンツソース８１６と直接通信し、コンテンツにアクセスするために、そのメディアガイドアプリケーションを使用することができる。具体的には、家庭内では、ユーザテレビ機器８０２およびユーザコンピュータ機器８０４のユーザは、メディアガイドアプリケーションにアクセスし、所望のコンテンツ間をナビゲートし、それを特定してもよい。ユーザはまた、無線ユーザ通信デバイス８０６を使用して、家庭外のメディアガイドアプリケーションにアクセスし、所望のコンテンツ間をナビゲートし、それを特定してもよい。
【００９７】
第４のアプローチでは、ユーザ機器デバイスは、クラウドコンピューティング環境内で動作し、クラウドサービスにアクセスしてもよい。クラウドコンピューティング環境では、コンテンツ共有、記憶、または配信のための種々のタイプのコンピューティングサービス（例えば、ビデオ共有サイトまたはソーシャルネットワーキングサイト）が、「クラウド」と称される、ネットワーク−アクセス可能コンピューティングおよび記憶リソースの集合によって提供される。例えば、クラウドは、通信ネットワーク８１４を介したインターネット等のネットワークを介して接続される、種々のタイプのユーザおよびデバイスにクラウドベースのサービスを提供する、中央または分散場所に位置し得る、サーバコンピューティングデバイスの集合を含むことができる。これらのクラウドリソースは、１つ以上のコンテンツソース８１６および１つ以上のメディアガイドデータソース８１８を含んでもよい。加えて、または代替として、遠隔コンピューティングサイトは、ユーザテレビ機器８０２、ユーザコンピュータ機器８０４、および無線ユーザ通信デバイス８０６等の他のユーザ機器デバイスを含んでもよい。例えば、他のユーザ機器デバイスは、ビデオの記憶されたコピーまたはストリーミングされたビデオへのアクセスを提供してもよい。そのような実施形態では、ユーザ機器デバイスは、中央サーバと通信することなく、ピアツーピア様式で動作してもよい。
【００９８】
クラウドは、ユーザ機器デバイスのために、他の実施例の中でもとりわけ、コンテンツ記憶、コンテンツ共有、またはソーシャルネットワーキングサービス等のサービスへのアクセス、および上記で説明される任意のコンテンツへのアクセスを提供する。サービスは、クラウドコンピューティングサービスプロバイダを通して、またはオンラインサービスの他のプロバイダを通して、クラウド内で提供されることができる。例えば、クラウドベースのサービスは、コンテンツ記憶サービス、コンテンツ共有サイト、ソーシャルネットワーキングサイト、または他のサービスを含むことができ、それを介して、ユーザ供給コンテンツは、接続されたデバイス上で他者によって視聴するために配信される。これらのクラウドベースのサービスは、ユーザ機器デバイスが、コンテンツをローカルで記憶し、ローカルで記憶されたコンテンツにアクセスするのではなく、コンテンツをクラウドに記憶し、コンテンツをクラウドから受信することを可能にしてもよい。
【００９９】
ユーザは、カムコーダ、ビデオモード付きデジタルカメラ、オーディオレコーダ、携帯電話、およびハンドヘルドコンピューティングデバイス等の種々のコンテンツ捕捉デバイスを使用して、コンテンツを録画してもよい。ユーザは、直接、例えば、ユーザコンピュータ機器８０４から、またはコンテンツ捕捉特徴を有する、無線ユーザ通信デバイス８０６からのいずれかにおいて、クラウド上のコンテンツ記憶サービスにコンテンツをアップロードすることができる。代替として、ユーザは、最初に、コンテンツをユーザコンピュータ機器８０４等のユーザ機器デバイスに転送することができる。コンテンツを記憶するユーザ機器デバイスは、通信ネットワーク８１４上のデータ伝送サービスを使用して、コンテンツをクラウドにアップロードする。いくつかの実施形態では、ユーザ機器デバイス自体が、クラウドリソースであり、他のユーザ機器デバイスは、直接、ユーザがコンテンツを記憶したユーザ機器デバイスから、コンテンツにアクセスすることができる。
【０１００】
クラウドリソースは、例えば、ウェブブラウザ、メディアガイドアプリケーション、デスクトップアプリケーション、モバイルアプリケーション、および／またはそれらのアクセスアプリケーションの任意の組み合わせを使用して、ユーザ機器デバイスによってアクセスされてもよい。ユーザ機器デバイスは、アプリケーション配信のためにクラウドコンピューティングに依拠する、クラウドクライアントであってもよい、またはユーザ機器デバイスは、クラウドリソースにアクセスすることなく、ある機能性を有してもよい。例えば、ユーザ機器デバイス上で起動するいくつかのアプリケーションは、クラウドアプリケーション、すなわち、インターネットを経由して、サービスとして配信されるアプリケーションであってもよい一方で、他のアプリケーションは、ユーザ機器デバイス上に記憶され、起動されてもよい。いくつかの実施形態では、ユーザデバイスは、コンテンツを複数のクラウドリソースから同時に受信してもよい。例えば、ユーザデバイスは、オーディオを１つのクラウドリソースからストリーミングする一方で、コンテンツを第２のクラウドリソースからダウンロードすることができる。または、ユーザデバイスは、より効率的なダウンロードのために、コンテンツを複数のクラウドリソースからダウンロードすることができる。いくつかの実施形態では、ユーザ機器デバイスは、図７に関連して説明される処理回路によって実施される処理動作等の処理動作のために、クラウドリソースを使用することができる。
【０１０１】
本明細書で参照されるように、用語「〜に応答して」は、「〜の結果として開始される」ことを指す。例えば、第２のアクションに応答して実施されている第１のアクションは、第１のアクションと第２のアクションとの間に介在ステップを含んでもよい。本明細書で参照されるように、用語「〜に直接応答して」は、「〜によって引き起こされる」ことを指す。例えば、第２のアクションに直接応答して実施されている第１のアクションは、第１のアクションと第２のアクションとの間に介在ステップを含まなくてもよい。
【０１０２】
図９は、本開示のいくつかの実施形態による、ユーザ入力デバイスの使用を防止することに関与する例証的ステップのフローチャートである。図９は、ユーザ機器（ユーザ機器１０２または２０２等）の制御回路（例えば、制御回路７０４）がユーザまたはユーザ入力デバイスによる制御を制限または許可するためのプロセスを提示する。いくつかの実施形態では、本アルゴリズムは、処理回路（例えば、処理回路７０６）によってデコードおよび実行されるための命令のセットとして非一過性の記憶媒体（例えば、記憶装置７０８）上にエンコードされてもよい。処理回路は、ひいては、同調、ビデオ生成、エンコード、デコード、暗号化、解読、スケーリング、アナログ／デジタル変換回路、および同等物等の制御回路７０４内に含有される他のサブ回路に命令を提供してもよい。
【０１０３】
ステップ９０２では、制御回路７０４は、ユーザ機器に対するユーザ入力デバイスによる制御を制限する第１の要求を示すデータを受信する。例えば、ユーザ機器のユーザ入力受信機は、要求を受信し、要求を処理する制御回路７０４にそれを伝送してもよい。図１−４に関して説明されるように、要求は、制限されるもの、例えば、制限されるデバイス、ユーザ、および／または機能についての情報を含んでもよい。
【０１０４】
ステップ９０４では、第１の要求に基づいて、制御回路７０４は、ユーザ機器の第１の設定を改変することを意図されている、ユーザ入力デバイスからの第１のコマンドを無視する。制御回路７０４は、それに第１のコマンドを無視させる、いくつかの方法のうちの１つで制御を制限してもよい。例えば、制御回路７０４は、ユーザ入力受信機をオフにする、または無効にしてもよい、またはユーザ機器において受信されるいくつかまたは全てのコマンドをそれに無視させる規則を設定してもよい。制御を制限するための例示的プロセスは、図１０および１１に関してさらに詳細に説明される。制御が制限された後、ユーザ機器の第１の設定を改変することを意図されている第１のコマンドは、ユーザ入力デバイスから伝送され、ユーザ機器において無視される。
例えば、第１のコマンドは、表示画面、再生しているメディア、再生速度、音量、または表示設定を改変することを意図し得る。
【０１０５】
ステップ９０６では、制御回路７０４は、ユーザ機器に対するユーザ入力デバイスによる制御を回復する第２の要求を示すデータを受信する。例えば、ユーザ機器のユーザ入力受信機は、本要求を受信し、要求を処理する制御回路７０４にそれを伝送してもよい。
【０１０６】
ステップ９０８では、制御回路７０４は、ユーザ機器の第２の設定を改変することを意図されている、ユーザ入力デバイスからの第２のコマンドを受信する。例えば、第１のコマンドは、表示画面、再生しているメディア、再生速度、音量、または表示設定を改変することを意図し得る。
【０１０７】
ステップ９１０では、制御回路７０４は、ステップ９０６において受信されるユーザ機器に対する制御を回復する要求およびステップ９１０において受信される第２のコマンドに応答して、ユーザ機器の第２の設定を改変する。
【０１０８】
図１０は、本開示のいくつかの実施形態による、ユーザ入力デバイスによる制御を制限するための例証的ステップのフローチャートである。図１０は、制御を制限する要求が受信された後に、ユーザ入力デバイスによる制御を制限するように図９のステップ９０４において制御回路７０４によって実施され得る、プロセスを示す。
【０１０９】
ステップ１００２では、制御を制限する要求は、処理回路７０６等のプロセッサにおいて受信される。要求は、最初に、ユーザ機器内のユーザ入力受信機において受信され、プロセッサに渡されている場合がある、または異なる受信機を通して受信されている場合がある。例えば、無効にされているユーザ入力受信機は、ＩＲ受信機であってもよく、ユーザ機器に対する制御を制限または許可する要求は、Ｗｉ−Ｆｉ受信機を通して受信される。
【０１１０】
ステップ１００４では、制御回路７０４は、ユーザ入力インターフェースを無効にするコマンドを生成する。例えば、制御回路７０４は、ユーザ入力受信機のスイッチを切る、またはユーザ入力受信機への電力を削減するためのコマンドを生成してもよい。いくつかの実施形態では、制御回路７０４は、例えば、ユーザ入力受信機がＩＲおよびＷｉ−Ｆｉ信号の両方を受信し、ＩＲコマンドのみが制限されている場合に、ユーザ入力受信機の一部のスイッチを切るためのコマンドを生成してもよい。
【０１１１】
ステップ１００６では、制御回路７０４は、無効化コマンドをユーザ入力受信機に送信する。いくつかの実施形態では、ユーザ入力受信機は、それ自体をオフにすることができない場合があり、故に、制御回路７０４は、代わりに、無効化コマンドをユーザ入力受信機への電力供給源に送信し、電力供給源が電力をユーザ入力受信機に送信することを停止してもよい。
【０１１２】
ステップ１００８では、ユーザ入力受信機は、無効化コマンドに応答して、スイッチを切る、または部分的にスイッチを切る、または電源を切る。ユーザ入力受信機がスイッチを切った後、もはやユーザ入力デバイスによって送信されるコマンドに応答しなくなるであろう。したがって、ユーザ機器は、ユーザ入力デバイスからのコマンドを無視するするであろう。
【０１１３】
図１０に示されていないが、ユーザ入力受信機は、ステップ９０８において同様に再開されることができる。具体的には、制御回路７０４が制御を回復する要求を受信した後、制御回路７０４は、本要求を受信し、ユーザ入力受信機を再び有効にする（例えば、そこへの電力を再開する）コマンドを生成し、電力をユーザ入力受信機に戻すコマンドを送信するであろう。コマンドは、それ自体をオンにすることができるユーザ入力受信機に伝送されてもよい、またはユーザ入力受信機に電力を再び切り替える電力供給源に伝送されてもよい。ユーザ入力受信機は、次いで、再びスイッチを入れ、コマンドを受信し始めることができる。
【０１１４】
図１１は、本開示のいくつかの実施形態による、ユーザ入力デバイスによる制御を制限するための別のプロセスの例証的ステップのフローチャートである。図１１は、制御を制限する要求が受信された後に、ユーザ入力デバイスによる制御を制限するように図９のステップ９０４において制御回路７０４およびユーザ入力受信機によって実施され得る、代替的プロセスを示す。本プロセスでは、制御回路７０４は、ユーザ入力デバイスからコマンドを受信し続けるが、制御が制限されている間に、これらのコマンドを無視する。
【０１１５】
ステップ１１０２では、制御回路７０４等のプロセッサは、ユーザ入力デバイスから受信される遠隔コマンドを無視するように１つ以上の規則を設定する。規則は、処理回路７０６の中または記憶装置７０８の中に記憶されてもよい。規則は、図９のステップ９０２における制御を制限する要求に応答して設定される。規則は、制御回路７０４が全ての遠隔コマンドを無視すること、または制御回路７０４がいくつかの遠隔コマンドのみを無視することを規定してもよい。
【０１１６】
ステップ１１０４では、ユーザ入力受信機は、ユーザ入力デバイスから遠隔コマンドを受信する。例えば、ユーザ入力受信機は、ナビゲーション、音量、チャネル、再生、または他のタイプのコマンドを受信してもよい。ユーザ入力受信機は、受信された信号（例えば、ＩＲ信号）を、制御回路７０４によって受信されることができる信号に変換してもよい。
【０１１７】
ステップ１１０６では、ユーザ入力受信機は、遠隔コマンドを、プロセッサ、例えば、制御回路７０４に伝送する。ユーザ入力受信機は、ナビゲーション、音量、チャネル、再生、または他のタイプのコマンドを表す信号を制御回路７０４に伝送してもよい。
【０１１８】
ステップ１１０８では、制御回路７０４は、遠隔コマンドを無視する。具体的には、制御回路７０４は、遠隔コマンドを受信するが、遠隔コマンドを無視するように規則を設定したため、要求されたコマンドを実行するためにいかなるアクションもとらない。規則は、制御回路７０４が全ての遠隔コマンドを無視すること、または制御回路７０４がいくつかの遠隔コマンドのみを無視することを規定してもよい。後者の場合、制御回路７０４は、受信されたコマンドを規則のセットと比較し、コマンドを無視するかどうかを決定するであろう。本プロセスは、図１３に関してさらに詳細に説明される。
【０１１９】
図１１に示されていないが、ユーザ入力デバイスによる制御は、ステップ９０８において規則を逆転させることによって再開されることができる。具体的には、制御回路７０４が制御を回復する要求を受信した後、制御回路７０４は、ユーザ入力デバイスから受信される遠隔コマンドを無視するための規則を除去する、またはユーザ入力デバイスから受信される遠隔コマンドを容認するように規則を設定する。
【０１２０】
いくつかの実施形態では、ユーザ入力デバイスによる制御は、制御を回復する要求に応答するのではなく、自動的に再開されることができる。例えば、制御回路７０４は、設定された時間周期、例えば、５分、３０分、１時間等の後に、制限されたユーザ入力デバイスによる制御を許可してもよい。代替として、制御回路７０４は、番組が終了した後に制御を可能にしてもよい。制御を制限するユーザは、例えば、その後に制御が可能にされるはずである時間またはトリガ（例えば、番組の終了）をユーザが規定することを可能にする、言葉によるコマンドまたはオンスクリーンインターフェースを提供することによって、制御が制限されるはずである長さを規定することが可能であり得る。
【０１２１】
いくつかの実施形態では、ユーザ入力デバイスによる制御は、制御を回復する明示的要求ではない、あるユーザアクションによって再開されることができる。例えば、制御回路７０４は、制御を制限したユーザ等の認定ユーザが任意の種類のコマンド（例えば、チャネルを変更する、音量を変更する、別の設定を調節するためのコマンド等）をユーザ機器に送信した後に、制御を再開してもよい。代替として、制御回路７０４は、例えば、音声検出、顔認識、指紋認識、または認定ユーザに属するデバイス（例えば、スマートフォン）への近接度を使用して、認定ユーザの存在を検出するときに、制御を再開してもよい。制御回路７０４は、認定ユーザを直接検出してもよい、またはユーザ入力デバイス等の別のデバイスから認定ユーザの存在を示す情報を受信してもよい。
【０１２２】
図１２は、本開示のいくつかの実施形態による、ユーザの身元に基づいてユーザ入力デバイスによる制御を制限するための例証的ステップのフローチャートである。本プロセスでは、１人以上のユーザは、ユーザ機器に対する制御を制限することを許可される。
【０１２３】
ステップ１２０２では、ユーザ機器は、制御を制限する要求を受信する。本要求は、制御を制限する権限を与えられているユーザを規定する規則を記憶する、またはそれにアクセスする、制御回路７０４において受信される。これらの規則は、管理特権を伴うユーザ等のユーザによって設定されてもよく、それらは、そのユーザによって変更され、ユーザ機器上で修正されてもよい。例えば、親は、子供がユーザ機器を制御することができないように、言葉によるコマンドを言い、ユーザ機器に対する制御を制限してもよい。
【０１２４】
ステップ１２０４では、制御回路７０４は、制御を制限することを要求するユーザの身元を決定する。制御回路７０４は、任意の数の方法で本ユーザの身元を決定してもよい。例えば、制御回路７０４は、デバイスを特定のユーザと関連付けた要求側によって使用されるデバイスを識別する、データを受信してもよい。データは、特定のユーザおよび／またはデバイスを識別するためのログイン情報、デバイス情報、または任意の他の情報を含んでもよい。別の実施例として、制御回路７０４は、音声、顔、または指紋認識を使用し、要求側を識別することができる。
【０１２５】
ステップ１２０６では、制御回路７０４は、識別された要求側がユーザ機器に対する制御を制限する権限を与えられているかどうかを決定する。制御回路は、ステップ１２０４において決定されるユーザの身元を、ユーザ機器上に前もって記憶された規則と比較する。例えば、制御回路７０４は、親の身元を、親が前もって記憶していた規則と比較し、親が制御を制限する権限を与えられているかどうかを決定してもよい。
【０１２６】
要求側が制御を制限する権限を与えられている場合には、ステップ１２０８において、制御回路７０４は、ユーザ入力デバイスによる制御を制限する。ステップ１２０８は、図１０および１１に関して説明される様式のうちのいずれかで実施されてもよい。例えば、親が制御を制限する権限を与えられているため、制御回路７０４は、子供がユーザ機器に対する制御を行使し得ないという規則を設定してもよい。子供が、次いで、コマンドを使おうとする場合、例えば、子供がチャネルを変更しようとする場合、本コマンドは、制限されるであろう。
【０１２７】
要求側が制御を制限する権限を与えられていない場合には、ステップ１２１８において、いかなるアクションもとられない。ユーザ機器に対する制御は、制限されない。例えば、親の代わりに、子供が制御を制限することを要求した場合、子供がユーザ機器に対する制御を制限することを許可されていないため、ユーザ機器は、本要求に応答し得ない。
【０１２８】
ステップ１２１０では、制御回路７０４は、ユーザ機器に対する制御を回復する要求を受信する。例えば、親は、子供がユーザ機器を制御することを許可されるであろうように、言葉によるコマンドを言い、ユーザ機器に対する制御を回復してもよい。ユーザ機器に対する制御を回復するために使用されるコマンドは、制御を制限するために使用されるコマンドと同一のフォーマットである必要はない。例えば、制限コマンドは、言葉によるコマンドであってもよく、回復コマンドは、ユーザ入力デバイス上のユーザインターフェースを通して発行されてもよい、または逆も同様である。
【０１２９】
ステップ１２１２では、制御回路７０４は、制御を回復することを要求するユーザの身元を決定する。本ステップは、ステップ１２０４に関して説明される技法のうちのいずれかを使用して実行されてもよい。
【０１３０】
ステップ１２１４では、制御回路７０４は、識別された要求側がユーザ機器に対する制御を回復する権限を与えられているかどうかを決定する。制御回路は、ステップ１２０４において決定されるユーザの身元を、ユーザ機器上に前もって記憶された規則のセットと比較する。規則は、ステップ１２０６で使用された同一の規則のセット（すなわち、制御を制限し得る人を特定する規則）であってもよい、または制御を回復するための異なる規則のセットがあってもよい。
【０１３１】
要求側が制御を回復する権限を与えられている場合には、ステップ１２１６において、制御回路７０４は、ユーザ入力デバイスによる制御を回復する。これは、ステップ１２０８において適用される制限を逆転させることによって実施されてもよく、図９−１１に関して説明される様式のうちのいずれかで実施されてもよい。
【０１３２】
要求側が制御を回復する権限を与えられていない場合には、ステップ１２１８において、いかなるアクションもとられない。ユーザ機器に対する制御は、依然として、制限される。例えば、親の代わりに、子供が制御を回復することを要求した場合、ユーザ機器は、本要求に応答し得ず、子供は、依然として、ユーザ機器を制御することを防止されるであろう。
【０１３３】
図１３は、本開示のいくつかの実施形態による、ユーザ入力デバイスによる制御を制限し、制御が制限されていることをユーザに警告するための例証的ステップのフローチャートである。
【０１３４】
ステップ１３０２では、ユーザ機器は、ユーザ１から制御を制限する要求を受信する。本要求は、制御回路７０４において受信される。制御回路７０４は、図１２に関して説明されるように、要求ユーザの身元を決定し、ユーザの身元に基づいて制御を制限する要求に応答するかどうかを決定してもよい。
【０１３５】
ステップ１３０４では、制御回路７０４は、ユーザ１によって要求される制御制限を規定する規則を記憶する、またはそれにアクセスする。これらの規則は、例えば、制限されるユーザ、制限されるコマンドのタイプ、および／または、ユーザ機器を制御することを制限されるデバイスを規定してもよい。規則は、いくつかの方法で設定されてもよい。例えば、デフォルト規則のセットは、管理特権を伴うユーザ等のユーザによってすでに設定されている場合があり、これらの規則は、要求がステップ１３０２において受信されるときにアクセスされる。管理ユーザまたはユーザ１は、これらの規則を変更することを許可されてもよい。代替として、ユーザ１は、ステップ１３０２からの要求とともに規則を規定してもよい。例えば、ユーザ１は、「Ｂｏｒｉｓがチャネルを変更することを防止する」と声に出して言い得る。またはユーザ１は、図４に示されるインターフェース等のオンスクリーンインターフェースを使用し、制御回路７０４に伝送される規則を入力し得る。
【０１３６】
ステップ１３０６では、制御回路７０４は、ユーザ２から遠隔コマンドを受信する。コマンドは、コマンドのタイプ（例えば、ユーザ２が押したボタン、またはユーザ２が選択したオンスクリーンアクション）、ユーザの身元、および／またはデバイスの身元を規定するデータを含んでもよい。例えば、制御回路７０４は、Ｂｏｒｉｓのスマートフォンからチャネル変更コマンドを受信してもよい。
【０１３７】
ステップ１３０８では、制御回路７０４は、ユーザ２がユーザ機器を制御する権限を与えられているどうかを決定する。これを遂行するために、制御回路７０４は、ステップ１３０６において受信されたユーザおよび／またはユーザ入力デバイスを説明するコマンドデータを、ステップ１３０４において設定される規則と比較する。
【０１３８】
ユーザ２がユーザ機器を制御する権限を与えられていない場合、制御回路７０４は、コマンドを実施せず、ステップ１３０４において図３に示される通知３０４等のロック通知を表示してもよい。代替として、制御回路７０４は、単純に、いかなるアクションもとらなくてもよい。
【０１３９】
ユーザ２がユーザ機器を制御する権限を与えられている場合には、ステップ１３１０において、制御回路７０４は、ユーザ２が受信される具体的コマンドに関して権限を与えられているかどうかを決定する。例えば、ユーザ２は、音量を変更することを許可されてもよいが、（例えば、チャネルを変更する、または異なるプログラムを選択することによって）表示されるメディアを変更すること、またはいかなる購入を行うことも許可され得ない。ユーザ２が受信される具体的コマンドに関して権限を与えられているかどうかを決定するために、制御回路７０４は、ステップ１３０６において受信されるコマンドのタイプを説明するコマンドデータを、ステップ１３０４において設定される規則と比較する。例えば、Ｂｏｒｉｓがチャネルを変更することのみを制限されている場合、Ｂｏｒｉｓのチャネル変更コマンドは、Ｂｏｒｉｓが要求した具体的コマンドに関して権限を与えられていないことを決定するように、規則と比較される。
【０１４０】
ユーザ２が受信される具体的コマンドに関して権限を与えられていない場合、制御回路７０４は、コマンドを実施せず、ステップ１３０４において図３に示される通知３０４等のロック通知を表示してもよい。代替として、制御回路７０４は、単純に、いかなるアクションもとらなくてもよい。
【０１４１】
ユーザ２がユーザ機器を制御する権限を与えられている場合には、ステップ１３１２において、制御回路７０４は、要求されたコマンドを実施する。例えば、Ｂｏｒｉｓが音量を変更することを要求した場合、制御回路７０４は、要求に応じて音量を変更するであろう。
【０１４２】
図９−１３のステップまたは説明は、本開示の任意の他の実施形態とともに使用され得ることが考慮される。加えて、図９−１３のアルゴリズムに関連して説明される説明は、本開示の目的を促すように、代替順序で、または並行して、行われてもよい。例えば、条件文および論理評価は、システムまたは方法の遅延を低減させる、または速度を増加させるように、任意の順序で、または並行して、または同時に行われてもよい。さらなる実施例として、いくつかの実施形態では、変数のいくつかのインスタンスは、複数の論理プロセッサスレッドを使用して、並行して評価されてもよい、またはアルゴリズムは、分岐予測を組み込むことによって増進されてもよい。さらに、図９−１３のプロセスは、適切に構成されたソフトウェアおよびハードウェアの組み合わせ上に実装されてもよく、プロセスのうちの１つ以上のものを実装するために、図７−８に関して議論されるデバイスまたは機器のいずれかが使用され得ることに留意されたい。
【０１４３】
上記で説明されるプロセスは、例証であって、限定を意図するものではない。当業者は、本明細書で議論されるプロセスのステップが、本発明の範囲から逸脱することなく、省略される、修正される、組み合わせられる、および／または再配列されてもよく、任意の付加的ステップが、実施されてもよいことを理解するであろう。より一般的には、上記の開示は、例示であって、限定を意図するものではない。続く請求項のみが、本発明が含むものに関する境界を設定することが意図される。さらに、いずれか１つの実施形態で説明される特徴および限定は、本明細書の任意の他の実施形態に適用され得、一実施形態に関するフローチャートまたは実施例は、好適な様式でいずれかの他の実施形態と組み合わせられ得る、異なる順序で行われ得る、または並行して行われ得ることに留意されたい。加えて、本明細書に説明されるシステムおよび方法は、リアルタイムで実施されてもよい。また、上記に説明されるシステムおよび／または方法は、他のシステムおよび／または方法に適用され得る、またはそれらに従って使用され得ることにも留意されたい。
【図１】
2019528534.tif 000003
【図２】
2019528534.tif 000004
【図３】
2019528534.tif 000005
【図４】
2019528534.tif 000006
【図５】
2019528534.tif 000007
【図６】
2019528534.tif 000008
【図７】
2019528534.tif 000009
【図８】
2019528534.tif 000010
【図９】
2019528534.tif 000011
【図１０】
2019528534.tif 000012
【図１１】
2019528534.tif 000013
【図１２】
2019528534.tif 000014
【図１３】
2019528534.tif 000015
【国際調査報告】
2019528534.tif 000016
2019528534.tif 000017
2019528534.tif 000018